(57)【特許請求の範囲】
【請求項１】
ある時間期間にわたって装置の１つまたは複数のパートによって消費された１つまたは複数の推定電力を監視することと、
前記推定電力が監視された前記１つまたは複数のパートの１つまたは複数の温度を監視することと、
前記監視された１つまたは複数の推定電力および前記推定電力が監視された前記１つまたは複数のパートの前記監視された１つまたは複数の温度に基づいて前記装置の少なくとも１つのサービス品質（ＱｏＳ）アスペクトを調整することと
を備える、ワイヤレス通信のための方法。
【請求項２】
前記少なくとも１つのＱｏＳアスペクトを調整することが、
前記装置の送信電力またはデータレートのうちの少なくとも１つを低減すること
を備える、請求項１に記載の方法。
【請求項３】
前記調整することが、前記装置の、前記１つまたは複数の推定電力と、持続時間と、表面温度との間の既知の関数に基づいて実行される、請求項１に記載の方法。
【請求項４】
前記装置の表面温度を監視することと、
前記表面温度がしきい値レベルを超えた場合、前記表面温度を低減するための制御機構をトリガすることと
をさらに備える、請求項１に記載の方法。
【請求項５】
前記しきい値レベルが、前記装置に関連する周囲温度に基づいている、請求項４に記載の方法。
【請求項６】
前記装置の１つまたは複数の内部回路に関連する１つまたは複数の電流を測定することをさらに備え、
前記１つまたは複数のパートの前記１つまたは複数の温度が前記１つまたは複数の電流に基づき、
前記監視された１つまたは複数の推定電力に基づいて前記装置の前記少なくとも１つのＱｏＳアスペクトを調整することが、前記１つまたは複数の電流のいずれかがしきい値レベルを超えた場合、前記装置の送信電力またはデータレートのうちの少なくとも１つを低減するための制御機構をトリガすることを備える、
請求項１に記載の方法。
【請求項７】
前記制御機構が、
前記１つまたは複数の内部回路の電力消費を低下させることによって前記少なくとも１つのＱｏＳアスペクトを制限すること
を備える、請求項６に記載の方法。
【請求項８】
前記装置の１つまたは複数の内部回路に関連する１つまたは複数の内部温度が１つまたは複数のしきい値レベルを超えた場合、前記１つまたは複数の内部回路の１つまたは複数のクロック周波数、あるいは前記１つまたは複数の内部回路の１つまたは複数の電圧のうちの少なくとも１つを低下させること
をさらに備える、請求項１に記載の方法。
【請求項９】
前記１つまたは複数の内部温度が１つまたは複数の他のしきい値レベルを下回った場合、前記１つまたは複数の内部回路の前記１つまたは複数のクロック周波数を増加させること
をさらに備える、請求項８に記載の方法。
【請求項１０】
前記データレートが、１ｘＥＶ−ＤＯ（１ｘＥｖｏｌｕｔｉｏｎ−Ｄａｔａ  Ｏｐｔｉｍｉｚｅｄ）、１ｘＲＴＴ（１ｘ無線伝送技術）、Ｌｏｎｇ  Ｔｅｒｍ  Ｅｖｏｌｕｔｉｏｎ（ＬＴＥ）、またはＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のうちの少なくとも１つのデータレートを備える、
請求項２に記載の方法。
【請求項１１】
前記１つまたは複数のパートの１つまたは複数の温度を前記監視することが、
前記装置に関連する電力増幅器の温度を監視することと、
前記装置のベースバンド回路の温度を監視することと
を備える、請求項１に記載の方法。
【請求項１２】
前記少なくとも１つのＱｏＳアスペクトを調整することが、
前記ベースバンド回路の前記温度がしきい値レベルを超えた場合、前記装置の順方向および逆方向通信リンクに関連するデータレートを調整すること
を備える、請求項１１に記載の方法。
【請求項１３】
前記少なくとも１つのＱｏＳアスペクトを調整することが、
前記電力増幅器の前記温度がしきい値レベルを超えた場合、前記装置の逆方向通信リンクに関連するデータレートを調整すること
を備える、請求項１１に記載の方法。
【請求項１４】
前記装置の表面温度と電力増幅器の前記温度との間の関係を決定することと、
前記関係に従って、電力増幅器の前記温度を監視するために使用される温度センサの状態に関係するしきい値を設定することと
をさらに備える、請求項１１に記載の方法。
【請求項１５】
前記装置の前記１つまたは複数のパートのうちの少なくとも１つの少なくとも１つの温度が第１のしきい値を下回った場合、前記データレートを前記調整の前の値に回復すること
をさらに備える、請求項２に記載の方法。
【請求項１６】
前記装置の送信電力またはデータレートのうちの前記少なくとも１つを低減することが、
前記装置の前記１つまたは複数のパートのうちの少なくとも１つの少なくとも１つの温度が、第１のしきい値を上回り、第２のしきい値を下回った場合、前記データレートを調整することと、
前記少なくとも１つの温度が前記第２のしきい値を上回った場合、前記少なくとも１つの温度に関連する少なくとも１つの内部回路をオフにすることと
を備える、請求項２に記載の方法。
【請求項１７】
前記少なくとも１つの温度が、前記第１のしきい値を上回り、前記第２のしきい値を下回った場合、前記装置において１つまたは複数の高度受信機技法を無効化すること
をさらに備える、請求項１６に記載の方法。
【請求項１８】
前記少なくとも１つの温度が、定義された時間期間の間、前記第１のしきい値を上回り、前記第２のしきい値を下回った場合、送信電力またはデータレートのうちの前記少なくとも１つのさらなる低減をアクティブ化すること
をさらに備える、請求項１７に記載の方法。
【請求項１９】
前記１つまたは複数の高度受信機技法が、前記装置の中央処理ユニット（ＣＰＵ）に適用される受信ダイバーシティ、干渉除去、または緩和技法のうちの少なくとも１つを備える、請求項１７に記載の方法。
【請求項２０】
前記少なくとも１つのＱｏＳアスペクトを調整することが、
経時的に測定された、前記装置に関連する電力増幅器の温度がしきい値レベルを超えた場合、前記装置の送信電力またはデータレートのうちの少なくとも１つを低下させる、前記装置のアップリンク上のデータスロットルをトリガすることを備え、
前記アップリンク上の前記データスロットルが、前記装置の表面温度を定義された限界未満に保つ、
請求項１に記載の方法。
【請求項２１】
前記１つまたは複数の温度のうちの少なくとも１つがしきい値レベルを超えた場合、逆共有チャネル（Ｒ−ＳＣＨ）についての要求を停止することと、
拡張補足チャネル割当てメッセージ（ＥＳＣＡＭ）を廃棄することと、
前記１つまたは複数の温度のうちの前記少なくとも１つが前記しきい値レベルよりも低くなった場合、前記Ｒ−ＳＣＨの処理を再開することと
をさらに備える、請求項１に記載の方法。
【請求項２２】
前記１つまたは複数のパートの前記１つまたは複数の温度が１つまたは複数の所定のしきい値を超えた場合、前記１つまたは複数の監視された温度が前記１つまたは複数の所定のしきい値を超えた前記１つまたは複数のパートに関連したパートが温度限界を超えることを回避するために、前記１つまたは複数の監視された温度が前記１つまたは複数の所定のしきい値を超えた前記１つまたは複数のパートによって行われる１つまたは複数の機能の実行を停止させ、前記停止させた１つまたは複数の機能を前記装置の１つまたは複数の他の監視された温度が前記１つまたは複数の所定の閾値を超えていないパートに実行させること
をさらに備える、請求項１に記載の方法。
【請求項２３】
前記１つまたは複数のパートの前記１つまたは複数の温度を監視することが、前記装置のバッテリーの温度を監視することを備え、
前記１つまたは複数のパートの前記１つまたは複数の温度に基づいて前記装置の前記少なくとも１つのＱｏＳアスペクトを調整することは、前記バッテリーの前記温度がしきい値を超えた場合、前記バッテリーの充電電流を低減すること、または前記バッテリーの充電を無効化することを備える、
請求項１に記載の方法。
【請求項２４】
ワイヤレス通信のための装置であって、
ある時間期間にわたって前記装置の１つまたは複数のパートによって消費された１つまたは複数の推定電力を監視するように構成された第１の回路と、
前記推定電力が監視された前記１つまたは複数のパートの１つまたは複数の温度を監視するように構成された第２の回路と、
前記監視された１つまたは複数の推定電力および前記推定電力が監視された前記１つまたは複数のパートの前記監視された１つまたは複数の温度に基づいて前記装置の少なくとも１つのサービス品質（ＱｏＳ）アスペクトを調整するように構成された第３の回路と
を備える、装置。
【請求項２５】
前記第３の回路がまた、
前記装置の送信電力またはデータレートのうちの少なくとも１つを低減するように構成された、請求項２４に記載の装置。
【請求項２６】
前記調整することが、前記装置の、前記１つまたは複数の推定電力と、持続時間と、表面温度との間の既知の関数に基づいて実行される、請求項２４に記載の装置。
【請求項２７】
前記装置の表面温度を監視するように構成された第４の回路と、
前記表面温度がしきい値レベルを超えた場合、前記表面温度を低減するための制御機構をトリガするように構成された第５の回路と
をさらに備える、請求項２４に記載の装置。
【請求項２８】
前記しきい値レベルが、前記装置に関連する周囲温度に基づいている、請求項２７に記載の装置。
【請求項２９】
前記装置の１つまたは複数の内部回路に関連する１つまたは複数の電流を測定するように構成された第４の回路をさらに備え、
前記１つまたは複数のパートの前記１つまたは複数の温度が前記１つまたは複数の電流に基づき、
前記監視された１つまたは複数の推定電力に基づいて前記装置の前記少なくとも１つのＱｏＳアスペクトを調整することが、前記１つまたは複数の電流のいずれかがしきい値レベルを超えた場合、前記装置の送信電力またはデータレートのうちの少なくとも１つを低減するための制御機構をトリガすることを備える、
請求項２４に記載の装置。
【請求項３０】
前記制御機構が、
前記１つまたは複数の内部回路の電力消費を低下させることによって前記少なくとも１つのＱｏＳアスペクトを制限すること
を備える、請求項２９に記載の装置。
【請求項３１】
前記装置の１つまたは複数の内部回路に関連する１つまたは複数の内部温度が１つまたは複数のしきい値レベルを超えた場合、前記１つまたは複数の内部回路の１つまたは複数のクロック周波数、あるいは前記１つまたは複数の内部回路の１つまたは複数の電圧のうちの少なくとも１つを低下させるように構成された第４の回路
をさらに備える、請求項２４に記載の装置。
【請求項３２】
前記１つまたは複数の内部温度が１つまたは複数の他のしきい値レベルを下回った場合、前記１つまたは複数の内部回路の前記１つまたは複数のクロック周波数を増加させるように構成された第５の回路
をさらに備える、請求項３１に記載の装置。
【請求項３３】
前記データレートが、１ｘＥＶ−ＤＯ（１ｘＥｖｏｌｕｔｉｏｎ−Ｄａｔａ  Ｏｐｔｉｍｉｚｅｄ）、１ｘＲＴＴ（１ｘ無線伝送技術）、Ｌｏｎｇ  Ｔｅｒｍ  Ｅｖｏｌｕｔｉｏｎ（ＬＴＥ）、またはＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のうちの少なくとも１つのデータレートを備える、
請求項２５に記載の装置。
【請求項３４】
前記１つまたは複数のパートが、
前記装置に関連する電力増幅器と、
前記装置のベースバンド回路を備える、請求項２４に記載の装置。
【請求項３５】
前記第３の回路がまた、
前記ベースバンド回路の前記温度がしきい値レベルを超えた場合、前記装置の順方向および逆方向通信リンクに関連するデータレートを調整する
ように構成された、請求項３４に記載の装置。
【請求項３６】
前記第３の回路がまた、
前記電力増幅器の前記温度がしきい値レベルを超えた場合、前記装置の逆方向通信リンクに関連するデータレートを調整する
ように構成された、請求項３４に記載の装置。
【請求項３７】
前記装置の表面温度と電力増幅器の前記温度との間の関係を決定するように構成された第４の回路と、
前記関係に従って、電力増幅器の前記温度を監視するために使用される温度センサの状態に関係するしきい値を設定するように構成された第５の回路と
をさらに備える、請求項３４に記載の装置。
【請求項３８】
前記装置の前記１つまたは複数のパートのうちの少なくとも１つの少なくとも１つの温度が第１のしきい値を下回った場合、前記データレートを前記調整の前の値に回復するように構成された第４の回路
をさらに備える、請求項２５に記載の装置。
【請求項３９】
前記装置の前記１つまたは複数のパートのうちの少なくとも１つの少なくとも１つの温度が、第１のしきい値を上回り、第２のしきい値を下回った場合、前記データレートを調整するように構成された第４の回路と、
前記少なくとも１つの温度が前記第２のしきい値を上回った場合、前記少なくとも１つの温度に関連する少なくとも１つの内部回路をオフにするように構成された第５の回路と
をさらに備える、請求項２５に記載の装置。
【請求項４０】
前記少なくとも１つの温度が、前記第１のしきい値を上回り、前記第２のしきい値を下回った場合、前記装置において１つまたは複数の高度受信機技法を無効化するように構成された第６の回路
をさらに備える、請求項３９に記載の装置。
【請求項４１】
前記少なくとも１つの温度が、定義された時間期間の間、前記第１のしきい値を上回り、前記第２のしきい値を下回った場合、送信電力またはデータレートのうちの前記少なくとも１つのさらなる低減をアクティブ化するように構成された第７の回路
をさらに備える、請求項４０に記載の装置。
【請求項４２】
前記１つまたは複数の高度受信機技法が、前記装置の中央処理ユニット（ＣＰＵ）に適用される受信ダイバーシティ、干渉除去、または緩和技法のうちの少なくとも１つを備える、請求項４０に記載の装置。
【請求項４３】
前記第３の回路がまた、
経時的に測定された、前記装置に関連する電力増幅器の温度がしきい値レベルを超えた場合、前記装置の送信電力またはデータレートのうちの少なくとも１つを低下させる、前記装置のアップリンク上のデータスロットルをトリガするように構成され、
前記アップリンク上の前記データスロットルが、前記装置の表面温度を定義された限界未満に保つ、
請求項２４に記載の装置。
【請求項４４】
前記１つまたは複数の温度のうちの少なくとも１つがしきい値レベルを超えた場合、逆共有チャネル（Ｒ−ＳＣＨ）についての要求を停止するように構成された第４の回路と、
拡張補足チャネル割当てメッセージ（ＥＳＣＡＭ）を廃棄するように構成された第５の回路と、
前記１つまたは複数の温度のうちの前記少なくとも１つが前記しきい値レベルよりも低くなった場合、前記Ｒ−ＳＣＨの処理を再開するように構成された第６の回路と
をさらに備える、請求項２４に記載の装置。
【請求項４５】
前記１つまたは複数のパートの前記１つまたは複数の温度が１つまたは複数の所定のしきい値を超えた場合、前記１つまたは複数の監視された温度が前記１つまたは複数の所定のしきい値を超えた前記１つまたは複数のパートに関連したパートが温度限界を超えることを回避するために、前記１つまたは複数の監視された温度が前記１つまたは複数の所定のしきい値を超えた前記１つまたは複数のパートによって行われる１つまたは複数の機能の実行を停止させ、前記停止された１つまたは複数の機能を前記装置の１つまたは複数の他の監視された温度が前記１つまたは複数の所定の閾値を超えていないパートに実行させるように構成された第４の回路
をさらに備える、請求項２４に記載の装置。
【請求項４６】
前記１つまたは複数のパートの前記１つまたは複数の温度を監視することが、前記装置のバッテリーの温度を監視することを備え、
前記１つまたは複数のパートの前記１つまたは複数の温度に基づいて前記装置の前記少なくとも１つのＱｏＳアスペクトを調整することは、前記バッテリーの前記温度がしきい値を超えた場合、前記バッテリーの充電電流を低減すること、または前記バッテリーの充電を無効化することを備える、
請求項２４に記載の装置。
【請求項４７】
ワイヤレス通信のための装置であって、
ある時間期間にわたって前記装置の１つまたは複数のパートによって消費された１つまたは複数の推定電力を監視するための手段と、
前記推定電力が監視された前記１つまたは複数のパートの１つまたは複数の温度を監視するための手段と、
前記監視された１つまたは複数の推定電力および前記推定電力が監視された前記１つまたは複数のパートの前記監視された１つまたは複数の温度に基づいて前記装置の少なくとも１つのサービス品質（ＱｏＳ）アスペクトを調整するための手段と
を備える、装置。
【請求項４８】
前記少なくとも１つのＱｏＳアスペクトを調整するための前記手段が、
前記装置の送信電力またはデータレートのうちの少なくとも１つを低減するための手段を備える、請求項４７に記載の装置。
【請求項４９】
前記調整することが、前記装置の、前記１つまたは複数の推定電力と、持続時間と、表面温度との間の既知の関数に基づいて実行される、請求項４７に記載の装置。
【請求項５０】
前記装置の表面温度を監視するための手段と、
前記表面温度がしきい値レベルを超えた場合、前記表面温度を低減するための制御機構をトリガするための手段と
をさらに備える、請求項４７に記載の装置。
【請求項５１】
前記しきい値レベルが、前記装置に関連する周囲温度に基づいている、請求項５０に記載の装置。
【請求項５２】
前記装置の１つまたは複数の内部回路に関連する１つまたは複数の電流を測定するための手段をさらに備え、
前記１つまたは複数のパートの前記１つまたは複数の温度が前記１つまたは複数の電流に基づき、
前記監視された１つまたは複数の推定電力に基づいて前記装置の前記少なくとも１つのＱｏＳアスペクトを調整することが、前記１つまたは複数の電流のいずれかがしきい値レベルを超えた場合、前記装置の送信電力またはデータレートのうちの少なくとも１つを低減するための制御機構をトリガすることを備える、
請求項４７に記載の装置。
【請求項５３】
前記制御機構が、
前記１つまたは複数の内部回路の電力消費を低下させることによって前記少なくとも１つのＱｏＳアスペクトを制限すること
を備える、請求項５２に記載の装置。
【請求項５４】
前記装置の１つまたは複数の内部回路に関連する１つまたは複数の内部温度が１つまたは複数のしきい値レベルを超えた場合、前記１つまたは複数の内部回路の１つまたは複数のクロック周波数、あるいは前記１つまたは複数の内部回路の１つまたは複数の電圧のうちの少なくとも１つを低下させるための手段
をさらに備える、請求項４７に記載の装置。
【請求項５５】
前記１つまたは複数の内部温度が１つまたは複数の他のしきい値レベルを下回った場合、前記１つまたは複数の内部回路の前記１つまたは複数のクロック周波数を増加させるための手段
をさらに備える、請求項５４に記載の装置。
【請求項５６】
前記データレートが、１ｘＥＶ−ＤＯ（１ｘＥｖｏｌｕｔｉｏｎ−Ｄａｔａ  Ｏｐｔｉｍｉｚｅｄ）、１ｘＲＴＴ（１ｘ無線伝送技術）、Ｌｏｎｇ  Ｔｅｒｍ  Ｅｖｏｌｕｔｉｏｎ（ＬＴＥ）、またはＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のうちの少なくとも１つのデータレートを備える、
請求項４８に記載の装置。
【請求項５７】
前記１つまたは複数のパートの１つまたは複数の温度を監視するための前記手段が、
前記装置に関連する電力増幅器の温度を監視するための手段と、
前記装置のベースバンド回路の温度を監視するための手段と
を備える、請求項４７に記載の装置。
【請求項５８】
前記少なくとも１つのＱｏＳアスペクトを調整するための前記手段が、
前記ベースバンド回路の前記温度がしきい値レベルを超えた場合、前記装置の順方向および逆方向通信リンクに関連するデータレートを調整するための手段を備える、
請求項５７に記載の装置。
【請求項５９】
前記少なくとも１つのＱｏＳアスペクトを調整するための前記手段が、
前記電力増幅器の前記温度がしきい値レベルを超えた場合、前記装置の逆方向通信リンクに関連するデータレートを調整するための手段、
を備える請求項５７に記載の装置。
【請求項６０】
前記装置の表面温度と電力増幅器の前記温度との間の関係を決定するための手段と、
前記関係に従って、電力増幅器の前記温度を監視するために使用される温度センサの状態に関係するしきい値を設定するための手段と
をさらに備える、請求項５７に記載の装置。
【請求項６１】
前記装置の前記１つまたは複数のパートのうちの少なくとも１つの少なくとも１つの温度が第１のしきい値を下回った場合、前記データレートを前記調整の前の値に回復するための手段
をさらに備える、請求項４８に記載の装置。
【請求項６２】
前記装置の送信電力またはデータレートのうちの前記少なくとも１つを低減するための前記手段が、
前記装置の前記１つまたは複数のパートのうちの少なくとも１つの少なくとも１つの温度が、第１のしきい値を上回り、第２のしきい値を下回った場合、前記データレートを調整するための手段と、
前記少なくとも１つの温度が前記第２のしきい値を上回った場合、前記少なくとも１つの温度に関連する少なくとも１つの内部回路をオフにするための手段と
を備える、請求項４８に記載の装置。
【請求項６３】
前記少なくとも１つの温度が、前記第１のしきい値を上回り、前記第２のしきい値を下回った場合、前記装置において１つまたは複数の高度受信機技法を無効化するための手段をさらに備える、請求項６２に記載の装置。
【請求項６４】
前記少なくとも１つの温度が、定義された時間期間の間、前記第１のしきい値を上回り、前記第２のしきい値を下回った場合、送信電力またはデータレートのうちの前記少なくとも１つのさらなる低減をアクティブ化するための手段
をさらに備える、請求項６３に記載の装置。
【請求項６５】
前記１つまたは複数の高度受信機技法が、前記装置の中央処理ユニット（ＣＰＵ）に適用される受信ダイバーシティ、干渉除去、または緩和技法のうちの少なくとも１つを備える、請求項６３に記載の装置。
【請求項６６】
前記少なくとも１つのＱｏＳアスペクトを調整するための前記手段が、
経時的に測定された、前記装置に関連する電力増幅器の温度がしきい値レベルを超えた場合、前記装置の送信電力またはデータレートのうちの少なくとも１つを低下させる、前記装置のアップリンク上のデータスロットルをトリガするための手段を備え、
前記アップリンク上の前記データスロットルが、前記装置の表面温度を定義された限界未満に保つ、
請求項４７に記載の装置。
【請求項６７】
前記１つまたは複数の温度のうちの少なくとも１つがしきい値レベルを超えた場合、逆共有チャネル（Ｒ−ＳＣＨ）についての要求を停止するための手段と、
拡張補足チャネル割当てメッセージ（ＥＳＣＡＭ）を廃棄するための手段と、
前記１つまたは複数の温度のうちの前記少なくとも１つが前記しきい値レベルよりも低くなった場合、前記Ｒ−ＳＣＨの処理を再開するための手段と
をさらに備える、請求項４７に記載の装置。
【請求項６８】
前記１つまたは複数のパートの前記１つまたは複数の温度が１つまたは複数の所定のしきい値を超えた場合、前記１つまたは複数の監視された温度が前記１つまたは複数の所定のしきい値を超えた前記１つまたは複数のパートに関連したパートが温度限界を超えることを回避するために、前記１つまたは複数の監視された温度が前記１つまたは複数の所定のしきい値を超えた前記１つまたは複数のパートによって行われる１つまたは複数の機能の実行を停止させ、前記停止された１つまたは複数の機能を前記装置の１つまたは複数の他の監視された温度が前記１つまたは複数の所定の閾値を超えていないパートに実行させるための手段をさらに備える、請求項４７に記載の装置。
【請求項６９】
前記１つまたは複数のパートの前記１つまたは複数の温度を監視することが、前記装置のバッテリーの温度を監視することを備え、
前記１つまたは複数のパートの前記１つまたは複数の温度に基づいて前記装置の前記少なくとも１つのＱｏＳアスペクトを調整することは、前記バッテリーの前記温度がしきい値を超えた場合、前記バッテリーの充電電流を低減すること、または前記バッテリーの充電を無効化することを備える、
請求項４７に記載の装置。
【請求項７０】
ある時間期間にわたって装置の１つまたは複数のパートによって消費された１つまたは複数の推定電力を監視することと、
前記推定電力が監視された前記１つまたは複数のパートの１つまたは複数の温度を監視することと、
前記監視された１つまたは複数の推定電力および前記推定電力が監視された前記１つまたは複数のパートの前記監視された１つまたは複数の温度に基づいて前記装置の少なくとも１つのサービス品質（ＱｏＳ）アスペクトを調整することと
を行うためのコードを備えるワイヤレス通信のためのコンピュータ可読記憶媒体。
【請求項７１】
前記装置の送信電力またはデータレートのうちの少なくとも１つを低減する
ためのコードをさらに備える、請求項７０に記載のコンピュータ可読記憶媒体。
【請求項７２】
前記調整することが、前記装置の、前記１つまたは複数の推定電力と、持続時間と、表面温度との間の既知の関数に基づいて実行される、請求項７０に記載のコンピュータ可読記憶媒体。
【請求項７３】
前記装置の表面温度を監視することと、
前記表面温度がしきい値レベルを超えた場合、前記表面温度を低減するための制御機構をトリガすることと
を行うためのコードをさらに備える、請求項７０に記載のコンピュータ可読記憶媒体。
【請求項７４】
前記しきい値レベルが、前記装置に関連する周囲温度に基づいている、請求項７３に記載のコンピュータ可読記憶媒体。
【請求項７５】
前記装置の１つまたは複数の内部回路に関連する１つまたは複数の電流を測定するためのコードをさらに備え、
前記１つまたは複数のパートの前記１つまたは複数の温度が前記１つまたは複数の電流に基づき、
前記監視された１つまたは複数の推定電力に基づいて前記装置の前記少なくとも１つのＱｏＳアスペクトを調整することが、前記１つまたは複数の電流のいずれかがしきい値レベルを超えた場合、前記装置の送信電力またはデータレートのうちの少なくとも１つを低減するための制御機構をトリガすることを備える、
請求項７０に記載のコンピュータ可読記憶媒体。
【請求項７６】
前記制御機構が、
前記１つまたは複数の内部回路の電力消費を低下させることによって前記少なくとも１つのＱｏＳアスペクトを制限すること
を備える、請求項７５に記載のコンピュータ可読記憶媒体。
【請求項７７】
前記装置の１つまたは複数の内部回路に関連する１つまたは複数の内部温度が１つまたは複数のしきい値レベルを超えた場合、前記１つまたは複数の内部回路の１つまたは複数のクロック周波数、あるいは前記１つまたは複数の内部回路の１つまたは複数の電圧のうちの少なくとも１つを低下させる
ためのコードをさらに備える、請求項７０に記載のコンピュータ可読記憶媒体。
【請求項７８】
前記１つまたは複数の内部温度が１つまたは複数の他のしきい値レベルを下回った場合、前記１つまたは複数の内部回路の前記１つまたは複数のクロック周波数を増加させるためのコードをさらに備える、請求項７７に記載のコンピュータ可読記憶媒体。
【請求項７９】
前記データレートが、１ｘＥＶ−ＤＯ（１ｘＥｖｏｌｕｔｉｏｎ−Ｄａｔａ  Ｏｐｔｉｍｉｚｅｄ）、１ｘＲＴＴ（１ｘ無線伝送技術）、Ｌｏｎｇ  Ｔｅｒｍ  Ｅｖｏｌｕｔｉｏｎ（ＬＴＥ）、またはＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のうちの少なくとも１つのデータレートを備える、
請求項７１に記載のコンピュータ可読記憶媒体。
【請求項８０】
前記装置に関連する電力増幅器の温度を監視することと、
前記装置のベースバンド回路の温度を監視することと
を行うためのコードをさらに備え、
前記時間期間にわたって前記装置の前記１つまたは複数のパートによって消費された前記１つまたは複数の推定電力が、電力増幅器の前記温度とベースバンド回路の前記温度とに基づいている、
請求項７０に記載のコンピュータ可読記憶媒体。
【請求項８１】
前記ベースバンド回路の前記温度がしきい値レベルを超えた場合、前記装置の順方向および逆方向通信リンクに関連するデータレートを調整する
ためのコードをさらに備える、請求項８０に記載のコンピュータ可読記憶媒体。
【請求項８２】
前記電力増幅器の前記温度がしきい値レベルを超えた場合、前記装置の逆方向通信リンクに関連するデータレートを調整する
ためのコードをさらに備える、請求項８０に記載のコンピュータ可読記憶媒体。
【請求項８３】
前記装置の表面温度と電力増幅器の前記温度との間の関係を決定することと、
前記関係に従って、電力増幅器の前記温度を監視するために使用される温度センサの状態に関係するしきい値を設定することと
を行うためのコードをさらに備える、請求項８０に記載のコンピュータ可読記憶媒体。
【請求項８４】
前記装置の前記１つまたは複数のパートのうちの少なくとも１つの少なくとも１つの温度が第１のしきい値を下回った場合、前記データレートを前記調整の前の値に回復するためのコードをさらに備える、請求項７１に記載のコンピュータ可読記憶媒体。
【請求項８５】
前記装置の前記１つまたは複数のパートのうちの少なくとも１つの少なくとも１つの温度が、第１のしきい値を上回り、第２のしきい値を下回った場合、前記データレートを調整することと、
前記少なくとも１つの温度が前記第２のしきい値を上回った場合、前記少なくとも１つの温度に関連する少なくとも１つの内部回路をオフにすることと
を行うためのコードをさらに備える、請求項７１に記載のコンピュータ可読記憶媒体。
【請求項８６】
前記少なくとも１つの温度が、前記第１のしきい値を上回り、前記第２のしきい値を下回った場合、前記装置において１つまたは複数の高度受信機技法を無効化する
ためのコードをさらに備える、請求項８５に記載のコンピュータ可読記憶媒体。
【請求項８７】
前記少なくとも１つの温度が、定義された時間期間の間、前記第１のしきい値を上回り、前記第２のしきい値を下回った場合、送信電力またはデータレートのうちの前記少なくとも１つのさらなる低減をアクティブ化する
ためのコードをさらに備える、請求項８６に記載のコンピュータ可読記憶媒体。
【請求項８８】
前記１つまたは複数の高度受信機技法が、前記装置の中央処理ユニット（ＣＰＵ）に適用される受信ダイバーシティ、干渉除去、または緩和技法のうちの少なくとも１つを備える、請求項８６に記載のコンピュータ可読記憶媒体。
【請求項８９】
経時的に測定された、前記装置に関連する電力増幅器の温度がしきい値レベルを超えた場合、前記装置の送信電力またはデータレートのうちの少なくとも１つを低下させる、前記装置のアップリンク上のデータスロットルをトリガするためのコードをさらに備え、
前記アップリンク上の前記データスロットルが、前記装置の表面温度を定義された限界未満に保つ、
請求項７０に記載のコンピュータ可読記憶媒体。
【請求項９０】
前記１つまたは複数の温度のうちの少なくとも１つがしきい値レベルを超えた場合、逆共有チャネル（Ｒ−ＳＣＨ）についての要求を停止することと、
拡張補足チャネル割当てメッセージ（ＥＳＣＡＭ）を廃棄することと、
前記１つまたは複数の温度のうちの前記少なくとも１つが前記しきい値レベルよりも低くなった場合、前記Ｒ−ＳＣＨの処理を再開することと
を行うためのコードをさらに備える、請求項７０に記載のコンピュータ可読記憶媒体。
【請求項９１】
前記１つまたは複数のパートの前記１つまたは複数の温度が１つまたは複数の所定のしきい値を超えた場合、前記１つまたは複数の監視された温度が前記１つまたは複数の所定のしきい値を超えた前記１つまたは複数のパートに関連したパートが温度限界を超えることを回避するために、前記１つまたは複数の監視された温度が前記１つまたは複数の所定のしきい値を超えた前記１つまたは複数のパートによって行われる１つまたは複数の機能の実行を停止させ、前記停止された１つまたは複数の機能を前記装置の１つまたは複数の他の監視された温度が前記１つまたは複数の所定の閾値を超えていないパートに実行させる
ためのコードをさらに備える、請求項７０に記載のコンピュータ可読記憶媒体。
【請求項９２】
前記１つまたは複数のパートの前記１つまたは複数の温度を監視することが、前記装置のバッテリーの温度を監視することを備え、
前記１つまたは複数のパートの前記１つまたは複数の温度に基づいて前記装置の前記少なくとも１つのＱｏＳアスペクトを調整することは、前記バッテリーの前記温度がしきい値を超えた場合、前記バッテリーの充電電流を低減すること、または前記バッテリーの充電を無効化することを備える、
請求項７０に記載のコンピュータ可読記憶媒体。
【発明の詳細な説明】
【技術分野】
【０００１】
米国特許法第１１９条に基づく優先権の主張
[0001]  本特許出願は、本出願の譲受人に譲渡され、参照により本明細書に明確に組み込まれる、２０１０年９月２４日に出願された「Touch temperature management algorithm based on power dissipation history and internal temperature readings」と題する米国仮特許出願第６１／３８６，０６０号の利益を主張する。
【０００２】
[0002]  本開示のいくつかの態様は、一般にワイヤレス通信に関し、より詳細には、電力消費履歴（power dissipation history）に基づくワイヤレス通信デバイスのタッチ温度管理（touch temperature management）のための方法および装置に関する。
【背景技術】
【０００３】
[0003]  ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３rd  Ｇｅｎｅｒａｔｉｏｎ  Ｐａｒｔｎｅｒｓｈｉｐ  Ｐｒｏｊｅｃｔ  （３ＧＰＰ）Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
[0004]  概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）は基地局から端末への通信リンクを指し、逆方向リンク（またはアップリンク）は端末から基地局への通信リンクを指す。この順方向通信リンクおよび逆方向通信リンクは、単入力単出力、多入力単出力、または多入力多出力システムを介して確立され得る。
【０００５】
[0005]  ワイヤレス多元接続通信システムは、時分割複信（ＴＤＤ）システムと周波数分割複信（ＦＤＤ）システムとをサポートすることができる。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を得ることが可能になる。
【０００６】
[0006]  基地局とのそれの通信中に、ワイヤレス端末は、それらの表面上が、所望されるよりも高温になることがある。そのために、これらのワイヤレスデバイスは、サービスプロバイダによって商用利用のためには受け入れられないことがある。したがって、ワイヤレスデバイスの表面（タッチ）温度を制御することが望ましい。しかしながら、タッチ温度を測定するための既存の方法は、しばしば高価で非効率的であることがある。
【０００７】
[0007]  ワイヤレス通信デバイスのタッチ温度を制限するための当技術分野で知られる方法は、たとえば、送信電力および／またはデータレートを、必要とされるよりも早期にまたは頻繁にスロットル調節（throttle）し得る。これらの方法は、タッチ温度に気づかないことさえあり、送信電力およびデータレートは、ワイヤレスデバイス内で観測された１つまたは複数の内部集積回路（ＩＣ）温度に基づいてスロットル調節され得る。
【発明の概要】
【０００８】
[0008]  本開示のいくつかの態様は、ワイヤレス通信のための方法を提供する。本方法は、概して、ある時間期間にわたって装置の１つまたは複数のパートによって消費（dissipate）された、推定された１つまたは複数の電力を監視することと、監視された、推定された１つまたは複数の電力に基づいて装置の少なくとも１つのサービス品質（ＱｏＳ）アスペクト（Quality of Service (QoS) aspect）を調整することとを含む。
【０００９】
[0009]  本開示のいくつかの態様は、ワイヤレス通信のための装置を提供する。本装置は、概して、ある時間期間にわたって装置の１つまたは複数のパートによって消費された、推定された１つまたは複数の電力を監視するように構成された第１の回路と、監視された、推定された１つまたは複数の電力に基づいて装置の少なくとも１つのサービス品質（ＱｏＳ）アスペクトを調整するように構成された第２の回路とを含む。
【００１０】
[0010]  本開示のいくつかの態様は、ワイヤレス通信のための装置を提供する。本装置は、概して、ある時間期間にわたって装置の１つまたは複数のパートによって消費された、推定された１つまたは複数の電力を監視するための手段と、監視された、推定された１つまたは複数の電力に基づいて装置の少なくとも１つのサービス品質（ＱｏＳ）アスペクトを調整するための手段とを含む。
【００１１】
[0011]  本開示のいくつかの態様は、コンピュータプログラム製品を提供する。本コンピュータプログラム製品は、概して、ある時間期間にわたって装置の１つまたは複数のパートによって消費（dissipate）された、監視された、推定された１つまたは複数の電力を監視することと、監視された、推定された１つまたは複数の電力に基づいて装置の少なくとも１つのサービス品質（ＱｏＳ）アスペクトを調整することとを行うためのコードを備えるコンピュータ可読媒体を含む。
【００１２】
[0012]  本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、その範囲を限定するものと見なすべきではないことに留意されたい。
【図面の簡単な説明】
【００１３】
【図１】[0013]  本開示のいくつかの態様による、例示的な多元接続ワイヤレス通信システムを示す図。
【図２】[0014]  本開示のいくつかの態様による、アクセスポイントおよびユーザ端末のブロック図。
【図３】[0015]  本開示のいくつかの態様による例示的なワイヤレスデバイスのブロック図。
【図４】[0016]  本開示のいくつかの態様による、温度モニタを備えたワイヤレス通信デバイスの例示的なフロー制御ブロック図。
【図５】[0017]  本開示のいくつかの態様による、温度モニタを備えたワイヤレス通信デバイスの輻輳制御マネージャ（ＣＣＭ：congestion control manager）の例示的なブロック図。
【図６】[0018]  本開示のいくつかの態様による、ワイヤレス通信デバイスに関連する温度モニタの例示的なしきい値および状態図。
【図７】[0019]  本開示のいくつかの態様による、ワイヤレス通信デバイスに関連する温度モニタの例示的な状態機械を示す図。
【図８】[0020]  本開示のいくつかの態様によるワイヤレス通信デバイスのタッチ温度を管理するための、ワイヤレス通信デバイスにおいて実行され得る例示的なブロックを概念的に示す機能ブロック図。
【発明を実施するための形態】
【００１４】
[0021]  添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置が実現され得、または方法が実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施され得ることを理解されたい。
【００１５】
[0022]  「例示的」という単語は、本明細書では、「例、事例、または例示の働きをすること」を意味するために使用する。「例示的」として本明細書で説明するいかなる態様も、必ずしも他の態様よりも好適または有利なものと解釈すべきではない。
【００１６】
[0023]  本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００１７】
例示的なワイヤレス通信システム
[0024]  本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、汎用地上波無線アクセス（ＵＴＲＡ）、ＣＤＭＡ２０００などの無線技術を実装し得る。ＵＴＲＡは、広帯域ＣＤＭＡ（Ｗ−ＣＤＭＡ）および低チップレート（ＬＣＲ）を含む。ＣＤＭＡ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ２」（３ＧＰＰ２）という名称の団体からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ２」（３ＧＰＰ２）という名称の団体からの文書に記載されている。これらの様々な無線技術および規格は当技術分野で知られている。
【００１８】
[0025]  本明細書の教示は、様々なワイヤードまたはワイヤレス装置（たとえば、ノード）に組み込まれ得る（たとえば、その装置内に実装され、またはその装置によって実行され得る）。いくつかの態様では、ノードはワイヤレスノードを備える。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかの態様では、本明細書の教示に従って実装されるワイヤレスノードはアクセスポイントまたはアクセス端末を備え得る。
【００１９】
[0026]  アクセスポイント（「ＡＰ」）は、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。いくつかの実装形態では、アクセスポイントは、セットトップボックスキオスク、メディアセンター、あるいはワイヤレスまたはワイヤード媒体を介して通信するように構成された任意の他の好適なデバイスを備え得る。
【００２０】
[0027]  アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、タブレット、娯楽デバイス（たとえば、音楽またはビデオデバイス、あるいは衛星ラジオ）、テレビジョンディスプレイ、フリップカム（flip-cam）、セキュリティビデオカメラ、デジタルビデオレコーダ（ＤＶＲ）、全地球測位システムデバイス、あるいはワイヤレスまたはワイヤード媒体を介して通信するように構成された他の好適なデバイスに組み込まれ得る。
【００２１】
[0028]  図１を参照すると、一態様による多元接続ワイヤレス通信システムが示されている。アクセスポイント１００（ＡＰ）は複数のアンテナグループを含み得、あるアンテナグループはアンテナ１０４と１０６とを含み、別のアンテナグループはアンテナ１０８と１１０とを含み、追加のアンテナグループはアンテナ１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信中であり得、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００２２】
[0029]  アンテナの各グループ、および／またはアンテナが通信するように設計されたエリアは、しばしば、アクセスポイントのセクタと呼ばれる。本開示の一態様では、アンテナグループはそれぞれ、アクセスポイント１００によってカバーされるエリアのセクタ内でアクセス端末に通信するように設計され得る。
【００２３】
[0030]  順方向リンク１２０および１２６上の通信では、アクセスポイント１００の送信アンテナは、異なるアクセス端末１１６および１２２に対して順方向リンクの信号対雑音比を改善するためにビーム形成を利用し得る。また、アクセスポイントが、ビームフォーミングを使用して、それのカバレージ中にランダムに分散されたアクセス端末に送信するほうが、アクセスポイントが単一のアンテナを介してそれのすべてのアクセス端末に送信するよりも、隣接セル中のアクセス端末への干渉が小さくなる。
【００２４】
[0031]  図２に、多入力多出力（ＭＩＭＯ）システム２００における送信機システム２１０（アクセスポイントとしても知られる）および受信機システム２５０（アクセス端末としても知られる）の実施形態のブロック図を示す。送信機システム２１０において、いくつかのデータストリームのトラフィックデータがデータソース２１２から送信（ＴＸ）データプロセッサ２１４に与えられる。
【００２５】
[0032]  本開示の一態様では、各データストリームは、それぞれの送信アンテナを介して送信され得る。ＴＸデータプロセッサ２１４は、コード化データを与えるために、各データストリームのトラフィックデータを、そのデータストリーム用に選択された特定のコーディング方式に基づいてフォーマットし、コーディングし、インターリーブする。
【００２６】
[0033]  各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、各データストリームの多重化されたパイロットデータおよびコード化データは、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）されて、変調シンボルを与える。各データストリームのデータレート、コーディング、および変調は、プロセッサ２３０によって実行される命令によって決定され得る。
【００２７】
[0034]  次いで、すべてのデータストリームの変調シンボルがＴＸ  ＭＩＭＯプロセッサ２２０に供給され、ＴＸ  ＭＩＭＯプロセッサ２２０はさらに（たとえば、ＯＦＤＭの場合）その変調シンボルを処理し得る。次いで、ＴＸ  ＭＩＭＯプロセッサ２２０は、ＮT個の変調シンボルストリームをＮT個の送信機（ＴＭＴＲ）２２２ａ〜２２２ｔに供給する。本開示のいくつかの態様では、ＴＸ  ＭＩＭＯプロセッサ２２０は、データストリームのシンボルと、シンボルの送信元のアンテナとにビームフォーミング重みを適用する。
【００２８】
[0035]  各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次いで、送信機２２２ａ〜２２２ｔからのＮT個の変調信号は、それぞれＮT個のアンテナ２２４ａ〜２２４ｔから送信される。
【００２９】
[0036]  受信機システム２５０では、送信された変調信号はＮR個のアンテナ２５２ａ〜２５２ｒによって受信され得、各アンテナ２５２からの受信信号は、それぞれの受信機（ＲＣＶＲ）２５４ａ〜２５４ｒに供給され得る。各受信機２５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給し得る。
【００３０】
[0037]  次いで、ＲＸデータプロセッサ２６０は、ＮR個の受信機２５４からＮR個の受信シンボルストリームを受信し、特定の受信機処理技法に基づいて処理して、ＮT個の「検出」シンボルストリームを供給する。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。
【００３１】
[0038]  プロセッサ２７０は、どのプリコーディング行列を使用すべきかを定期的に決定する。プロセッサ２７０は、行列インデックス部とランク値部とを備える逆方向リンクメッセージを作成する。逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に戻される。
【００３２】
[0039]  送信機システム２１０において、受信機システム２５０からの変調信号は、アンテナ２２４によって受信され、受信機２２２によって調整され、復調器２４０によって復調され、受信機システム２５０によって送信された逆方向リンクメッセージを抽出するためにＲＸデータプロセッサ２４２によって処理される。次いで、プロセッサ２３０は、ビームフォーミング重みを決定するためにどのプリコーディング行列を使用すべきかを決定し、抽出されたメッセージを処理する。
【００３３】
[0040]  図３に、図１からのワイヤレス通信システム内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２は図１からのアクセスポイント１００またはアクセス端末１１６、１２２のいずれかであり得る。さらに、ワイヤレスデバイス３０２は図２からのアクセスポイント２１０またはアクセス端末２５０のいずれかであり得る。
【００３４】
[0041]  ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理および算術演算を実行する。メモリ３０６中の命令は、本明細書で説明する方法を実装するように実行可能であり得る。
【００３５】
[0042]  ワイヤレスデバイス３０２は、ワイヤレスデバイス３０２と遠隔地との間のデータの送信および受信を可能にするために送信機３１０と受信機３１２とを含み得るハウジング３０８をも含み得る。送信機３１０と受信機３１２とを組み合わせてトランシーバ３１４を形成し得る。単一または複数の送信アンテナ３１６は、ハウジング３０８に取り付けられ、トランシーバ３１４に電気的に結合され得る。ワイヤレスデバイス３０２は、複数の送信機、複数の受信機、複数のトランシーバをも含み得る（図示せず）。
【００３６】
[0043]  ワイヤレスデバイス３０２は、トランシーバ３１４によって受信された信号のレベルを検出および定量化するために使用され得る信号検出器３１８をも含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００３７】
[0044]  ワイヤレスデバイス３０２の様々な構成要素は、データバスに加えて、パワーバスと、制御信号バスと、ステータス信号バスとを含み得るバスシステム３２２によって互いに結合され得る。
【００３８】
タッチ温度管理
[0045]  本開示のいくつかの態様は、ワイヤレス通信デバイスにおいてある時間期間にわたって消費された総推定電力を監視するための方法および装置をサポートする。ワイヤレスデバイスの表面温度を指定された限界未満に保つために、必要に応じて送信電力およびデータレートを低減するために、時間とともに消費した電力に関する情報は、場合によっては、デバイスの内部回路の監視された内部温度とともに利用され得る。（たとえば、タッチ温度限界を超える）過熱を回避するために送信電力をいつスロットル調節（throttle）すべきかをより正確に決定するために、消費した電力とともにデバイスのタッチ温度がどのように変動するかについての知識と、電力消費履歴についての知識とが利用され得る。本開示のいくつかの態様によれば、ワイヤレス通信デバイスは、図１からのアクセス端末１１６、１２２、図２からのアクセス端末２５０、または図３からのワイヤレスデバイス３０２のいずれかを備え得る。
【００３９】
[0046]  本開示の一態様では、温度センサ３２４はワイヤレスデバイス３０２の表面に配置され得る。この温度センサは、測定されたタッチ温度が、あらかじめ定義された限界を超えたときに気づき得、表面温度を低減するための制御機構をトリガし得る。たとえば、タッチ温度限界はワイヤレスデバイスの周囲温度に対して定義され得、したがって、絶対タッチ温度制限がないことがある。表面温度を低減するための制御機構は、ワイヤレスデバイスの送信電力をバックオフすること、またはワイヤレスデバイスに関連する着信／発信データレートを低減することのうちの少なくとも１つを備え得る。
【００４０】
[0047]  別の態様では、（たとえば、最もクリティカルな内部回路の）１つまたは複数の電流を測定するための１つまたは複数の電流センサ３２６がワイヤレス通信デバイス３０２内に配置され得る。測定された１つまたは複数の電流は、ワイヤレスデバイスの電力消費、ならびにデバイスの内部回路のうちの１つまたは複数の温度を示し得る。１つまたは複数の電流のいずれかがしきい値レベルを超えた場合、デバイスのタッチ温度限界を超えることを回避するために、送信電力またはデータレートのうちの少なくとも１つをスロットル調節する制御機構がトリガされ得る。
【００４１】
[0048]  本開示のいくつかの態様は、ある時間期間にわたってこのデバイスのアクティビティを追跡するために、センサをモバイルワイヤレス通信デバイスに接続することをさらにサポートする。追跡されるアクティビティは、時間とともに消費した電力に関する、およびデバイスの表面温度に関する指示を与え得る。次いで、この知識は、デバイスの表面温度を指定された限界未満に保つために、必要に応じて送信電力またはデータレートのうちの少なくとも１つをスロットル調節するために利用され得る。
【００４２】
[0049]  ワイヤレス通信デバイス３０２のタッチ温度を制限するために、本開示のいくつかの態様は、デバイスの一部の内部回路（たとえば、ワイヤレスデバイス３０２の回路３０４、３０６、３１８、３２０の一部）をオフにすることをサポートする。異なる回路は異なる優先度を有し得、したがって、それらはこの優先度付けに従ってオフにされ得る。たとえば、優先度が最も低い回路は最初にオフにされ得、優先度が最も高い回路はワイヤレスデバイスの他のすべての回路の後にオフにされ得る。
【００４３】
[0050]  さらに、電力消費を低減し、タッチ温度限界を超えることを回避するために、ワイヤレス通信デバイス内の異なる回路のクロック設定が変更され得る。本開示の一態様では、１つまたは複数の内部回路に関連する１つまたは複数の内部温度が１つまたは複数のしきい値レベルを超えた場合、１つまたは複数の内部回路の１つまたは複数のクロック周波数が低下され得る。一方、１つまたは複数の内部温度が１つまたは複数の他のしきい値レベルを下回った場合、１つまたは複数の内部回路の１つまたは複数のクロック周波数が増加され得る。本開示の別の態様では、ワイヤレスデバイスのタッチ温度が、定義された限界に近づいた場合、１つまたは複数の内部回路の１つまたは複数のクロック周波数を低下させることが適用され得る。
【００４４】
[0051]  場合によっては、ワイヤレスデバイスは、冷たすぎることがある、たとえば、タッチ温度は特定のしきい値レベルを下回る（たとえば、０℃を下回る）ことがあり、および／またはワイヤレスデバイスの少なくとも１つの内部回路に関連する少なくとも１つの内部温度が、指定された温度レベルを下回ることがある。次いで、ワイヤレスデバイスは、１つまたは複数の内部回路のタイミング仕様を満たすことを保証するために加熱される必要があり得る。一態様では、関連するモデムによって、または実行中のアプリケーションによってこれが要求されたかまたは必要とされた場合、ワイヤレスデバイスの最大パフォーマンスを可能にするために、１つまたは複数の内部回路の１つまたは複数のクロック周波数（および／または電圧）を増加され得る。
【００４５】
[0052]  本開示のいくつかの態様は、複数のセンサをワイヤレス通信デバイスに関連付けることをサポートし、センサは内部または外部にあり得る。これらのセンサの各々は、ワイヤレスデバイスのタッチ温度を制限するための異なるアクションに関係し得る。これらのアクションは、それのあらかじめ定義された優先度付けに従って固有の順序で実行され得る。一態様では、アクションの優先度は、ワイヤレスデバイスの現在の動作モードに依存し得る。
【００４６】
サーマルベースのフロー制御
[0053]  本開示は、デバイスの上述の過熱問題を緩和するために、ワイヤレス通信デバイスのデータレートを制御するための方法および装置について詳細に説明する。本開示の一態様では、制御されるデータレートは、１ｘＥＶ−ＤＯ（１ｘＥｖｏｌｕｔｉｏｎ−Ｄａｔａ  Ｏｐｔｉｍｉｚｅｄ）ワイヤレス通信規格のデータレートに関係し得る。別の態様では、制御されるデータレートは、１ｘＲＴＴ（１ｘ無線伝送技術）ワイヤレス通信規格のデータレートに関係し得る。さらに別の態様では、制御されるデータレートは、Ｅｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のデータレートに関係し得る。さらに別の態様では、制御されるデータレートは、Ｌｏｎｇ  Ｔｅｒｍ  Ｅｖｏｌｕｔｉｏｎ（ＬＴＥ）ワイヤレス通信規格のデータレートに関係し得る。
【００４７】
[0054]  最初に、ワイヤレス通信デバイス内のサーマルベースのフロー制御に対する動機、ならびにこのフロー制御がワイヤレスデバイスの輻輳制御マネージャ（ＣＣＭ：Congestion Control Manager）フレームワーク内にどのように組み込まれ得るかについて説明する。ＣＣＭは、ＣＣＭコマンドルータと、ＣＣＭコマンドアービトレーション機能ブロック（command arbitration functional blocks）と、ＣＣＭアクションアービトレーション機能ブロックと、逆方向リンク（アップリンク）フロー制御アルゴリズムと、順方向リンク（ダウンリンク）フロー制御アルゴリズムと、構成要素ブロック間の対応するインターフェースとを備え得る。
【００４８】
[0055]  Ｌｏｎｇ  Ｔｅｒｍ  Ｅｖｏｌｕｔｉｏｎ（ＬＴＥ）またはデュアルセル高速パケットアクセス（ＤＣ−ＨＳＰＡ）などの超高データレートの技術をサポートするチップセットでは、アクセス端末（ＡＴ）（たとえば、図３からのワイヤレスデバイス３０２）は、発生した熱を散逸することができないことがある。この問題は、高データレートを実現するために電力増幅器（ＰＡ）（たとえば、ワイヤレスデバイス３０２のＰＡ３２８）を高電力出力で動作させることに起因し得る。さらに、または代替的に、問題は、高データレートを処理するために、ＡＴの内部プロセッサを高クロックレートで動作させることに起因し得る。
【００４９】
[0056]  高度受信機モデム技法（advanced receiver modem techniques）（たとえば、干渉除去および等化（interference cancellation and equalization））を可能にするために必要とされる処理能力、および着信／発信パケットを処理するために必要とされる電力は、より高い周波数で動作するより大きいプロセッサを必要とすることがある。したがって、ＡＴは過熱することがある。たとえば、ＰＡは、２３ｄＢｍの送信電力で送信した約５分後に最高接合温度を超えることがある。この例示的な事例では、ＡＴのタッチ温度は、４２℃と５１℃との間にあると予測され得、プラスチックハウジングセットの温度限界は７５℃である。
【００５０】
[0057]  ボイスと高データレートとの同時並行性が望まれるアーキテクチャを考慮するとき、熱的安全機構が必要とされることがある。表面の過熱を緩和するために、温度センサによってトリガされるように、ＡＴにおいてフロー制御機構が設計され得る。熱放散は遅いプロセスであり得（たとえば、時定数が分（minutes）のオーダーであり得）、たとえば、ＬＴＥからｅＨＲＰＤ（発展型高速パケットデータ）へのハンドオフまたはＬＴＥからＨＲＰＤ／１ｘＲＴＴへのデータサービス転送があり得るので、この制御機構はハンドオフ後でも発熱源を制御する必要があり得る。
【００５１】
[0058]  本開示は、ＰＡまたは中央プロセッサユニット（ＣＰＵ：Central Processor Unit）から発生する熱が許容できるレベルに低減され得るように、１ｘＥＶ−ＤＯおよび１ｘＲＴＴワイヤレスデバイスがそれらのそれぞれのデータレートをどのように低減することができるかについて説明する。同時に、システムにおいて可能な最高データレートが維持され得る。
【００５２】
[0059]  本開示の一態様では、ワイヤレスデバイスのＰＡサブシステムのためのサーマルセンサ（たとえば、図３に示すワイヤレスデバイス３０２のＰＡ３２８に関連する温度センサ３２４）は、逆方向リンクフロー制御のみに影響を及ぼすようにＣＣＭと統合され得る。さらに、ベースバンド回路（たとえば、ワイヤレスデバイス３０２のプロセッサ３０４と、信号検出器３１８と、ＤＳＰ３２０とを備えるベースバンド（ＢＢ）サブシステム）の温度を監視するためのサーマルセンサは、逆方向リンクと順方向リンクの両方のフロー制御に影響を及ぼすようにＣＣＭと統合され得る。
【００５３】
[0060]  図４に、本開示のいくつかの態様による、ワイヤレス通信デバイスのＣＰＵ内の例示的なフロー制御回路４００を示す。ＣＰＵは、ＣＣＭユニット４０２のＦＬ機能、ＣＰＵモニタ４０４、ＦＬメモリモニタ４０６、および順方向トラフィックチャネル媒体アクセス制御フロー制御（ＦＴＣ−ＭＡＣ−ＦＣ：Forward Traffic Channel Media Access Control Flow Control）ユニット４０８など、順方向リンク（ＦＬ）フロー制御のために使用され得る機能ブロックを備え得る。逆方向リンク（ＲＬ）フロー制御のための機能ブロックは、ＲＬメモリモニタ４１０と、逆方向リンクウォーターマークフロー制御（ＲＬ−ＷＭＫ−ＦＣ：Reverse Link Watermark Flow Control）ユニット４１２と、逆方向トラフィックチャネル媒体アクセス制御フロー制御（ＲＴＣ−ＭＡＣ−ＦＣ：Reverse Traffic Channel Media Access Control Flow Control）ユニット４１４と、ＣＣＭユニット４０２の対応するＲＬ機能とを備え得る。
【００５４】
[0061]  本開示のいくつかの態様は、図４に示す２つの異なる種類の温度モニタ４１６の、ＴＨＥＲＭＡＬ−ＭＯＮＩＴＯＲ−ＰＡとＴＨＥＲＭＡＬ−ＭＯＮＩＴＯＲ−ＢＢとをサポートする。ＴＨＥＲＭＡＬ−ＭＯＮＩＴＯＲ−ＰＡは、電力増幅器（ＰＡ）サブシステムの温度（たとえば、平均温度）を監視し得る。一方、ＴＨＥＲＭＡＬ−ＭＯＮＩＴＯＲ−ＢＢは、ベースバンド（ＢＢ）回路の温度を監視するために利用され得る。
【００５５】
[0062]  これらの２つの種類の温度モニタをＣＣＭフレームワークに組み込むために、ＴＨＥＲＭＡＬ＿ＭＯＮＩＴＯＲ＿ＢＢをＦＬとＲＬの両方のコマンドアービトレーション（ＣＭＤ＿ＡＲＢ）機能ブロックにルーティングすることを可能にするために、コマンドルーティング機能が使われ得る。このようにして、ＢＢ回路過熱によってトリガされたフロー制御が、順方向および逆方向リンクフロー制御を開始し得る。ＴＨＥＲＭＡＬ＿ＭＯＮＩＴＯＲ＿ＢＢとＴＨＥＲＭＡＬ＿ＭＯＮＩＴＯＲ＿ＰＡとの間のアービトレーションのために、追加のＣＭＤ＿ＡＲＢ機能ブロックが利用され得る。コマンドアービトレーション機能の拡張の他に、ＣＰＵベースの逆方向フロー制御とサーマルベースの逆方向フロー制御との間のアービトレーションを管理するための少なくとも２つのアクション決定（ＡＣＴ＿ＤＥＴ）機能ブロックがフロー制御アーキテクチャ４００中に追加され得る。
【００５６】
[0063]  フロー制御アルゴリズムへの入力は、温度の読み取りを必要とすることがある。一般に、チップセットにおいていくつかの温度の読み取りが利用可能であり得、それらは外部的にまたは内部的に取得され得る。
【００５７】
[0064]  本開示の一態様では、ハウスキーピングアナログデジタルコンバータ（ＨＫ−ＡＤＣ：housekeeping analog-to-digital convertor）を通して外部サーミスタが監視され得る。これは、ソフトウェア駆動式ポーリングプロセスであり得る。サーミスタは、可能な最良の熱的結合を実現するために、表面温度が監視されているワイヤレスデバイスの実際のチップの近くに配置され得る。好適な態様では、サーミスタは、チップのちょうど反対側にあるデバイスのプリント回路板（ＰＣＢ）上に位置し得る。
【００５８】
[0065]  本開示の別の態様では、温度センサは内部に配置され得る。これらのセンサは、一般にＰＴＡＴ（絶対温度に比例するＰＮ接合：proportional to absolute temperature PN junction）センサまたはＣＴＡＴ（絶対温度に相補的なＰＮ接合：complementary to absolute temperature PN junction）センサとして実装され得る。内部センサは、あらかじめ定義されたしきい値を超えたときに割込みを発行するようにプログラムされ得る。代替的に、これらのセンサはポーリングされ得る。
【００５９】
[0066]  ワイヤレスデバイスの無線周波数（ＲＦ）サブシステムは、一般にＰＡに極めて近接したサーミスタを必要とすることがある。一態様では、このサーミスタの温度の読み取りは、ソフトウェアアルゴリズムを通して処理され得る。このサーミスタがＰＡに近接しているほど、ＰＡとの熱的結合は良好であり得る。ＰＡは、数分間最大送信電力に当たると、いずれかのデバイスを熱的に飽和させる傾向があり得るので、このセンサは温度監視のために最も重要であり得ることに留意されたい。
【００６０】
[0067]  本開示の一態様では、ワイヤレスデバイスの各電力管理集積回路（ＰＭＩＣ）が内部温度センサを備え得る。ソフトウェアアルゴリズムが、単線シリアルバスインターフェース（ＳＳＢＩ）を通して、この温度センサに関連する温度の読み取りへのアクセスを有し得る。この温度センサは、あらかじめ定義されたしきい値を超えると割込みを生成することが可能であり得る。
【００６１】
[0068]  他の温度センサもワイヤレスデバイスに関連し得る。たとえば、水晶発振器（ＸＯ）サーミスタが外部に配置され得る。このサーミスタは、ワイヤレスデバイスに関連する全地球測位システム（ＧＰＳ）受信機がオフであるとき、たとえば、約１秒ごとにワイヤレスデバイスの表面温度を測定し得、それは、温度補償型水晶発振器（ＴＣＸＯ：Temperature Compensated Crystal Oscillator）マネージャによって制御され得る。一方、ＸＯサーミスタは、ＧＰＳ受信機がオンであるとき、デバイスの表面温度を、たとえば１００ｍｓごとに測定し得る。抵抗温度計（ＲＴＲ）センサは、たとえば、内部に配置され、ワイヤレスデバイスのＲＦ回路によって使用され得る。さらに、ＢＡＴＴ（バッテリー）サーミスタが、ワイヤレスデバイスのバッテリーの外部に配置され得、ソフトウェア（たとえば、充電コード）によって制御され得る。さらに、充電器サーミスタは、外部に配置され得、同じく充電コードによって制御され得る。
【００６２】
１ｘＥＶ−ＤＯに従って動作するワイヤレスデバイスのための
サーマルベースのフロー制御の設計詳細
[0069]  図５に、１ｘＥＶ−ＤＯワイヤレス通信規格に従って動作するワイヤレスデバイスの一部として温度モニタを備えたＣＣＭ５００の例示的なブロック図を示す。ＣＣＭ５００は、３つの異なるタイプの機能サブブロック、コマンドルータ（たとえば、ＣＭＤ＿ＲＯＵＴＥＲ５０２）と、コマンドアービトレーション（ＣＭＤ＿ＡＲＢ）機能ブロックと、アクション決定（ＡＣＴ＿ＤＥＴ）機能ブロックとを備え得る。
【００６３】
[0070]  ＣＭＤ＿ＲＯＵＴＥＲ５０２は、受信されたフロー制御コマンドを適切な（１つまたは複数の）コマンドアービトレーション機能にルーティングし得る。たとえば、順方向リンク（ＦＬ）メモリモニタによって生成されたフロー制御コマンド５０４のうちの１つはＦＬフロー制御のみをトリガし得、ＣＰＵモニタによって生成されたコマンド５０６のうちの１つはＦＬおよび／または逆方向リンク（ＲＬ）フロー制御をトリガし得、ＲＬメモリモニタによって生成されたコマンド５０８のうちの１つはＲＬフロー制御のみをトリガし得る。さらに、ＴＨＥＲＭＡＬ＿ＭＯＮＩＴＯＲ＿ＢＢコマンド信号５１０はＦＬフロー制御とＲＬフロー制御の両方をトリガし得、ＴＨＥＲＭＡＬ＿ＭＯＮＩＴＯＲ＿ＰＡコマンド信号５１２はＲＬフロー制御のみをトリガし得る。
【００６４】
[0071]  したがって、図５に示すように、ＦＬ  ＷＭＫによって生成されたコマンド５０４はＣＭＤ＿ＡＲＢ１機能ブロック５１４にルーティングされ得、ＣＰＵモニタからのコマンド５０６はＣＭＤ＿ＡＲＢ１ブロック５１４とＣＭＤ＿ＡＲＢ２ブロック５１６の両方にルーティングされ得、ＲＬ  ＷＭＫからのコマンド５０８はＣＭＤ＿ＡＲＢ３機能ブロック５１８にルーティングされ得る。さらに、ＴＨＥＲＭＡＬ＿ＭＯＮＩＴＯＲ＿ＢＢから発信されたコマンド５１０は、ＣＭＤ＿ＡＲＢ１ブロック５１４と、ＣＭＤ＿ＡＲＢ２ブロック５１６と、ＣＭＤ＿ＡＲＢ４ブロック５２０とにルーティングされ得、ＴＨＥＲＭＡＬ＿ＭＯＮＩＴＯＲ＿ＰＡから発信されたコマンド５１２はＣＭＤ＿ＡＲＢ４機能ブロック５２０にルーティングされ得る。
【００６５】
[0072]  コマンドアービトレーション（ＣＭＤ＿ＡＲＢ）機能ブロックは、受信されたコマンド間の競合を整理（consolidate）し、後続のブロックのための調停されたコマンドを生成するために利用され得る。アクション決定（ＡＣＴ＿ＤＥＴ）機能ブロックは、フローコントローラに送られるパラメータを決定するために使用され得る。随意に、ＡＣＴ＿ＤＥＴエンティティはまた、ＣＰＵ利用を管理するためのＦＬおよびＲＬフロー制御間の対話を決定し得る。たとえば、ＡＣＴ＿ＤＥＴ４機能ブロック５２０は、ＡＣＴ＿ＤＥＴ３機能ブロック５２２とＡＣＴ＿ＤＥＴ２機能ブロック５２４との間を調停するように設計され得る。
【００６６】
[0073]  温度ＣＣＭインターフェース変換器（temperature-to-CCM interface translator）５２６は、温度モニタとＣＭＤルータ５０２との間のインターフェースを表す。各温度モニタは、ＣＭＤ＿ＡＲＢ機能ブロックによって使用されるものとは異なるコマンドを利用し得るので、インターフェース変換器５２６は温度センサイベントとＣＣＭコマンドとの間のマッピングを指定し得る。
【００６７】
サーマルベースのフロー制御における温度モニタ
[0074]  図６に、本開示のいくつかの態様による、図５に示すサーマルベースのフロー制御に関連する温度モニタの例示的なしきい値および状態図６００を示す。温度モニタは、２つの設定されたしきい値に基づいて３つのコマンドを生成し得る。監視された温度がしきい値６０２を下回る場合、温度モニタは「正常（normal）」コマンドを生成し得る。この場合、レート制御は停止され得、および／またはデータレートはバックオフされる前の値に回復され得る。監視された温度がしきい値６０２を上回ったが、依然として上限（臨界(critical)）しきい値６０４を下回る場合、温度モニタは図５に示すサーマルベースのフロー制御をトリガする「緩和（mitigation）」コマンドを生成し得る。監視された温度が臨界しきい値６０４を上回った場合、温度モニタは「緊急（emergency）」コマンドを生成し得る。次いで、監視された温度に関連するワイヤレスデバイスの内部回路が停止され得る。
【００６８】
[0075]  図７に、本開示のいくつかの態様による、図６からのしきい値／状態図６００に関連する温度モニタの例示的な状態機械７００を示す。監視された温度が図６に示すしきい値レベル６０２を下回る場合、温度モニタは正常（オフ）状態７０２にあり得る。測定された温度がしきい値レベル６０２と６０４との間にある場合、温度モニタは正常状態７０２から緩和（高）状態７０４に切り替わり得る。また、測定された温度がしきい値レベル６０４よりも高くなった場合、温度モニタは正常状態７０２から緊急状態７０６に切り替わり得る。緩和状態７０４になると、温度モニタは、測定された温度がしきい値レベル６０２よりも低くなった場合、正常状態７０２にスイッチバックし得る。測定された温度がしきい値レベル６０４を上回った場合、温度モニタは緩和状態７０４から緊急状態７０６に切り替わり得る。緊急状態７０６において、測定された温度がしきい値レベル６０２よりも高く、しきい値レベル６０４よりも低い場合、温度モニタは緩和状態７０４にスイッチバックし得る。測定された温度がしきい値レベル６０２よりも低くなった場合、温度モニタは緊急状態７０６から正常状態７０２に直接移行し得る。
【００６９】
[0076]  温度モニタが正常状態７０２にあるとき、それは、たとえば、ＣＣＭ準拠列挙「０００００」にマッピングされ得る「正常」コマンドを生成し得る。温度モニタが緩和状態７０４にあるとき、「緩和」（警告（warning））コマンドが発行され得、このコマンドは、たとえばＣＣＭに準拠する列挙「００１１１」にマッピングされ得る。温度モニタが緊急状態７０６にあるとき、「緊急」（危機（critical））コマンドが生成され得、このコマンドは、たとえばＣＣＭに準拠する列挙「１１１１１」にマッピングされ得る。
【００７０】
[0077]  本開示の態様では、温度モニタが緩和状態７０４になると、サーマルベースのフロー制御をトリガする「緩和」コマンドが生成され得るが、温度改善が観測されないことがある。温度モニタに関連するタイマーが、あらかじめ定義された値に設定され得る。タイマーが満了し、定義された時間期間の間、緩和状態７０４にありながら実質的な温度改善がなかった後、より多くの電力を節約し、測定された温度を緩和しきい値レベル６０２未満に低減するために、送信電力および／またはデータレートをさらにスロットル調節することが可能であり得る（たとえば、より深いレベルのスロットル調節（throttling）／電力節約（power savings）がアクティブ化され得る）。
【００７１】
[0078]  本開示のいくつかの態様はまた、温度モニタが緩和状態７０４にあり、サーマルベースのフロー制御をトリガする「緩和」コマンドが生成されたとき、電力を消費し得る高度受信機機能を遮断する、ワイヤレスデバイスの機能をサポートする。たとえば、本開示の態様では、トリガされたサーマルベースのフロー制御は、ワイヤレスデバイスにおいて受信ダイバーシティを無効化することまたは干渉除去（interference cancellation）を無効化することのうちの少なくとも１つを備え得る。
【００７２】
[0079]  上述の温度しきい値およびカスタマーエクスペリエンスの構成を設定するとき、いくつかのファクタがトレードオフされ得る。ワイヤレスデバイスおよび常駐する温度センサの過渡状態および定常状態の挙動を理解するために、あらゆるフォームファクタがキャリブレーションを必要とすることがある。たとえば、ＰＡの近くの温度とデバイス表面温度との間の関係を理解することは、熱的状態を変更するためのしきい値を適切に設定することを可能にし得る。
【００７３】
[0080]  温度可視性は重要なファクタであり得る。有限数の温度センサ、一般に、ＰＡセンサおよび電力管理集積回路（ＰＭＩＣ）センサのみが存在し得る。数ポイントの可視性のみでは、デバイスは、内部または外部の、それの最も高温のロケーションにおいてサンプリングされないことがある。したがって、加熱問題の厳密な原因、たとえば、それがＰＡのみに関係するか、モビリティ管理（ＭＭ）に関係するか、またはアプリプロセッサに関係するかは知られていないことがある。
【００７４】
[0081]  上述の温度しきい値は、熱的状況において最初にアタック（attack）されるものに優先度を付けるように、異なるサブシステム（たとえば、ＰＡ、モバイルデータモデム（ＭＤＭ）、およびＰＭＩＣサブシステム）に対して設定され得る。たとえば、高温の状況において、ＰＡサブシステムが関与し得る可能性がある。したがって、ＭＤＭサブシステム温度よりも低いしきい値を有するＰＡ温度を設定することにより、データスループットとＰＡ電力（送信電力）とを低下させるアップリンク上のデータスロットル（data throttling）をトリガすることになり得る。ＰＡが主要な原因でない場合、ＭＤＭ温度は上昇し続け得る。ＭＤＭセンサのしきい値を超えた場合、ＭＭ電力およびアプリ処理などのＭＤＭ電力消費の他の領域に焦点が当たり得る。
【００７５】
[0082]  ＰＡ温度センサ、ＰＭＩＣ温度センサおよびＸＯ温度センサのみを有する可能性があると、熱的過渡現象の同様のポイントにおいてこれらのセンサに関連する温度しきい値を設定することが必要とされ得る。このようにして、優先度付けは初めは存在しないことがあるが、温度センサのうちの１つが緩和状態になると、全ての可能性があるフロント上で電力消費（power consumption）がアタックされ得る。
【００７６】
[0083]  一態様では、温度しきい値は非常に控えめに（たとえば、低く）設定され得る。サーマルキャリブレーションが適切に行われず、大事をとるために、より低くヘッジ（hedge）する必要がある場合、ワイヤレスデバイスは、サービス品質（ＱｏＳ）の不利な状態で非常に多くの時間を費やすことがあり、これは不要であることがある。より低いスループット、より低いモデムパフォーマンス、および利用不可能であるいくつかのＭＭ機能は、この場合、不要な不便を表し、それはまたカスタマーの不満を生じ得る。
【００７７】
[0084]  別の態様では、温度しきい値は非常にアグレッシブに（たとえば、高く）設定され得る。温度をより高くヘッジすることは、ワイヤレスデバイスが構成要素に損傷を与える危険を冒すことになり、および／または、それはワイヤレスデバイスのヘルス／安全面に関してユーザの不快感／不満を生じることがある。これはキャリアの責任（liability）を脅かすことがあり、適切なしきい値が確立されるまで、あらゆる商用デバイス発売におけるゲートファクタであり得る。
【００７８】
輻輳制御マネージャ（ＣＣＭ）の機能
[0085]  上述のＣＣＭコマンドアービトレーション機能（ＣＭＤ＿ＡＲＢ）は、コマンドルータからフロー制御コマンドを受信し、すべての記憶されたコマンド間を調停し、起こり得る競合を解決し得る。本開示の一態様では、アービトレーションのルールは以下の通りであり得る。「シャットダウン」コマンドが、受信されたコマンドのうちの１つであるならば、このコマンドが取られ得る。他の場合、「Ｓｅｔ＿Ｍｉｎ」コマンドが、受信されたコマンドのうちの１つであるならば、このコマンドが取られ得る。他の場合、「ダウン」コマンドが、受信されたコマンドのうちの１つであるならば、このコマンドが取られ得る。他の場合、このコマンドが、受信されたコマンドのうちの１つであるならば、「フリーズ」コマンドが取られ得る。他の場合、「アップ」コマンドが、受信されたコマンドのうちの１つであるならば、このコマンドが取られ得る。他の場合、「オフ」コマンドが取られ得る。
【００７９】
[0086]  アービトレーションルールを可能にするために、フロー制御コマンドは適宜列挙され得る。たとえば、「シャットダウン」コマンドは、「１１１１１」として列挙され得る。さらに、「Ｓｅｔ＿Ｍｉｎ」コマンドは、たとえば、「０１１１１」として列挙され得、「ダウン」コマンドは、たとえば、「００１１１」として列挙され得、「フリーズ」コマンドは、たとえば、「００１１０」として列挙され得、「アップ」コマンドは、たとえば、「００１００」として列挙され得、「オフ」コマンドは、たとえば、「０００００」として列挙され得る。
【００８０】
[0087]  各ＣＭＤ＿ＡＲＢ機能ブロックは、コマンドルータから受信された着信フロー制御コマンドを記憶するための状態変数ベクトルを作成し得る。状態変数ベクトルの次元は、コマンドルータがこのＣＭＤ＿ＡＲＢ機能ブロックにフロー制御コマンドを転送するモニタの数に等しいことがある。すべてのコマンドベクトル要素は、初期化時に０ｂ０００００に設定され得る。
【００８１】
[0088]  ＣＭＤ＿ＡＲＢ機能ブロックがコマンドルータからフロー制御コマンドを受信すると、ＣＭＤ＿ＡＲＢ機能ブロックは、対応するベクトル要素を受信されたコマンドでリフレッシュし得、次式のようにビット単位ＯＲ（たとえば、和集合（union））演算を使用してアービトレーションを実行し得る。
【数１】
0005905471.tif 000002
【００８２】
このアービトレーション方式が任意の数のモニタに拡張され得ることに留意されたい。
【００８３】
[0089]  上述のアービトレーションを実行した後に、ＣＭＤ＿ＡＲＢ機能ブロックは、最後のコマンドアービトレーション結果に対して、生じたフロー制御コマンドを検査し得る。それらが異なる場合、新しいコマンドは次の機能ブロックに、たとえば、アクション決定（ＡＣＴ＿ＤＥＴ）機能ブロックに送られ得る。他の場合、コマンドが送られない。これは、ＡＣＴ＿ＤＥＴ機能ブロックに同じコマンドが相次いで送られることを防ぎ得る。
【００８４】
[0090]  ＣＣＭアクション決定機能ブロック、ＡＣＴ＿ＤＥＴは、ＣＭＤ＿ＡＲＢ機能ブロックから新しいフロー制御コマンドを受信し得、ＦＴＣ＿ＭＡＣ＿ＦＣエンティティ（たとえば、図５からのＦＴＣ＿ＭＡＣ＿ＦＣユニット５３０）またはＲＴＣ＿ＭＡＣ＿ＦＣエンティティ（たとえば、ＲＴＣ＿ＭＡＣ＿ＦＣユニット５３２）のいずれかに送られるコマンドを決定し得る。
【００８５】
[0091]  ＡＣＴ＿ＤＥＴ１機能ブロック５３４は、フロー制御コマンドをＦＴＣ＿ＭＡＣ＿ＦＣユニット５３０に転送することを担当し得る。ＡＣＴ＿ＤＥＴ１への唯一の影響は、「シャットダウン」コマンドを処理する方法であり得る。ＡＣＴ＿ＤＥＴ２機能ブロック５２４は、ＣＰＵベースのフロー制御のためのＲＴＣ＿ＭＡＣ＿ＦＣユニット５３２をアクティブ化および非アクティブ化することを担当し得る。ＡＣＴ＿ＤＥＴ２ユニット５２４とＲＴＣ＿ＭＡＣ＿ＦＣユニット５３２との間のインターフェースは、逆方向リンクフロー制御がトリガされるかどうかを指定し得る。次いで、ＲＴＣ＿ＭＡＣ＿ＦＣユニット５３２は、スリープ（ＳＬＰ）キャリア以外のすべてのキャリアを介してＭＡＣパケットを送信することを停止し得る。
【００８６】
[0092]  ＡＣＴ＿ＤＥＴ３機能ブロック５２２は、熱的緩和トリガまたは停止トリガの結果として逆方向フロー制御を計算することを担当し得る。ＡＣＴ＿ＤＥＴ４機能ブロック５２８は、ＡＣＴ＿ＤＥＴ２機能ブロックとＡＣＴ＿ＤＥＴ３機能ブロックとの間を調停することを担当し得る。随意に、とられたアクションを調整するために、ＡＣＴ＿ＤＥＴｉ機能ブロックとＡＣＴ＿ＤＥＴｊ機能ブロックとの間のインターフェースがあり得る。
【００８７】
[0093]  過熱を緩和するために必要とされるアクションに適応するために、図５に示すＣＭＤ＿ＡＲＢ４ブロック５２０の出力に依存する以下のアルゴリズムが提案され得る。たとえば、可能な最高帯域幅を指し得るペイロードサイズは１２に初期化され得る。温度モニタによって生成された２つの連続する「ダウン」コマンドアクション間の時間期間（たとえば、「ｔｅｍｐ＿ｓｔｅｐ＿ｄｏｗｎ」パラメータ）は、１０００ｍｓに初期化され得る（デフォルト値は２５０ｍｓであり得る）。温度モニタによって生成された２つの連続する「オフ」コマンド間の遅延を計算するための「ｔｅｍｐ＿ｓｔｅｐ＿ｄｏｗｎ」の乗数を指定する「ｓｔｅｐ＿ｕｐ＿ｍｕｌｔｉｐｌｉｅｒ」パラメータが４（デフォルト値）に初期化され得る。ｔｅｍｐ＿ｓｔｅｐ＿ｕｐ＝ｔｅｍｐ＿ｓｔｅｐ＿ｄｏｗｎ・ｓｔｅｐ＿ｕｐ＿ｍｕｌｔｉｐｌｉｅｒであることに留意されたい。
【００８８】
[0094]  熱的緩和中の最小ペイロードサイズを指定するパラメータ「ｍｉｎＰａｙｌｏａｄＳｉｚｅ」が２（デフォルト値）に初期化され得る。逆方向リンクフラグ（「ＲＬ＿ｆｌａｇ」）が「オフ」状態に設定され得る。ＣＰＵモニタからＣＣＭへの推定シグナリング遅延を指定するパラメータ「ＤｅｌａｙＴｉｍｅ」が２ｍｓのデフォルト値に初期化され得る。一態様では、このパラメータはＣＣＭタイマーを考慮し得る。
【００８９】
[0095]  提案されたアルゴリズムは、ＣＭＤ＿ＡＲＢ４機能ブロックから受信されたフロー制御コマンド、または温度モニタタイマー（たとえば、「ｔｅｍｐ＿ｔｉｍｅｒ」）の満了に対応する以下の機能を実行し得る。ＴＨＥＲＭＡＬ＿ＭＯＮＩＴＯＲ＿ＰＡまたはＴＨＥＲＭＡＬ＿ＭＯＮＩＴＯＲ＿ＢＢの登録後に、温度モニタの初期状態が取得され得る。
【００９０】
[0096]  ＣＭＤ＿ＡＲＢ４＝ＤＯＷＮおよびＲＬ＿ｆｌａｇ＝ＯＦＦの場合、
【数２】
0005905471.tif 000003
【００９１】
[0097]  それ以外の場合、ＣＭＤ＿ＡＲＢ４＝ＤＯＷＮおよびＲＬ＿ｆｌａｇ＝ＯＮならば、
【数３】
0005905471.tif 000004
【００９２】
[0098]  それ以外の場合、ＣＭＤ＿ＡＲＢ４＝ＯＦＦおよびＲＬ＿ｆｌａｇ＝ＯＮならば、
【数４】
0005905471.tif 000005
【００９３】
ＰａｙＬｏａｄＳｉｚｅ＝１２の場合、ＲＬ＿ｆｌａｇ＝ＯＦＦであり、ｔｅｍｐ＿ｔｉｍｅｒを停止する。
【００９４】
[0099]  それ以外の場合、ＣＭＤ＿ＡＲＢ４＝ＳＨＵＴ＿ＤＯＷＮならばｔｅｍｐ＿ｔｉｍｅｒを停止し、ＰａｙＬｏａｄＳｉｚｅ＝０であり、これは最小のペイロードサイズを指し得る。
【００９５】
[00100]  逆方向リンクＣＰＵフロー制御と温度ベースのフロー制御とからのアクションを組み合わせるために、ＡＣＴ＿ＤＥＴ２機能ブロックとＡＣＴ＿ＤＥＴ３機能ブロックとの出力は、ＡＣＴ＿ＤＥＴ４機能ブロックにおいて組み合わせられ得る。
【００９６】
[00101]  ＡＣＴ＿ＤＥＴ２機能ブロックからの属性「ＤｉｓａｂｌｅＡｌｌＣａｒｒｉｅｒｓＢｕｔＳＬＰ」が「１」に設定された場合、ＣＰＵベースのＲＬフロー制御がトリガされ得、ＲＴＣ＿ＭＡＣ＿ＦＣは、ＳＬＰキャリアを除いてすべてのアクティブキャリアの最大ペイロードサイズをゼロに設定し得る。ＳＬＰキャリアはデフォルト最大ペイロードサイズに保たれ得る。一方、この属性が「０」に設定された場合、ＣＰＵベースのＲＬフロー制御は無効化され得、ＲＴＣ＿ＭＡＣ＿ＦＣは、すべてのアクティブキャリアに対してデフォルト最大ペイロードサイズを使用し得る。
【００９７】
[00102]  ＡＣＴ＿ＤＥＴ３機能ブロックからの属性「ＰａｙｌｏａｄＳｉｚｅ」は、０から１２までの間で変動し得る。「ＤｉｓａｂｌｅＡｌｌＣａｒｒｉｅｒｓＢｕｔＳＬＰ」＝「０」の場合、この値はすべてのアクティブキャリアに適用され得る。「ＤｉｓａｂｌｅＡｌｌＣａｒｒｉｅｒｓＢｕｔＳＬＰ」＝「１」の場合、この値はＳＬＰキャリアに適用され得る。値「０」はＳＬＰキャリアの最小ペイロードサイズを指し得る。１から１２までの数はペイロードインデックスに対応し得る。
【００９８】
[00103]  ＣＭＤ＿ＡＲＢ１出力コマンドが「シャットダウン」であるとき、ＦＴＣ＿ＭＡＣ＿ＦＣユニットは定義された最初のパターンを使用し、フロー制御（ＦＣ）フラグまたはデジタルレート制御（ＤＲＣ）パターンの前の状態にかかわらず、ＦＣフラグを「オン」状態にあるように設定し得る。次いで、ＣＭＤ＿ＡＲＢ１機能ブロックは、要件に従ってすべての他のコマンドに作用し得る。ＣＭＤ＿ＡＲＢ１ブロックが、新しい５ビットコマンド列挙を可能にするように変更される必要があり得ることに留意されたい。
【００９９】
[00104]  サーマルベースのフロー制御では、ＴＨＥＲＭＡＬ＿ＭＯＮＩＴＯＲ＿ＢＢコマンドは、上述の説明に従って、ＣＭＤ＿ＡＲＢ２機能ブロックにルーティングされ、調停され得る。アービトレーションの結果が「シャットダウン」コマンドである場合、このコマンドはＡＣＴ＿ＤＥＴ２ブロックについての「ダウン」コマンドと同様に働き得る。ＣＤＭ＿ＡＲＢ２ブロックにおいてサーマルベースのコマンドを使用することは、それが、シグナリングリンクプロトコル（ＳＬＰ）キャリア以外のすべての送信シャットダウンをトリガし得るので有用であり得る。
【０１００】
[00105]  ＣＣＭユニットとＲＴＣ  ＭＡＣ  ＦＣユニットとの間にインターフェースが存在し得る。属性「ＤｉｓａｂｌｅＡｌｌＣａｒｒｉｅｒｓＢｕｔＳＬＰ」が「１」に設定された場合、ＣＰＵベースのＲＬフロー制御はトリガされ得、ＲＴＣ＿ＭＡＣ＿ＦＣユニットは、ＳＬＰキャリアを除いてすべてのアクティブキャリアの最大ペイロードサイズをゼロに設定し得る。ＳＬＰキャリアはデフォルト最大ペイロードサイズに保たれ得る。この属性が「０」に設定された場合、ＣＰＵベースのＲＬフロー制御は無効化され得、ＲＴＣ＿ＭＡＣ＿ＦＣは、すべてのアクティブキャリアのデフォルト最大ペイロードサイズを使用し得ることを意味する。
【０１０１】
[00106]  たとえば、属性「ＰａｙｌｏａｄＳｉｚｅ」は０から１２までの間で変動し得る。「ＤｉｓａｂｌｅＡｌｌＣａｒｒｉｅｒｓＢｕｔＳＬＰ」＝「０」の場合、この値はすべてのアクティブキャリアに適用され得る。「ＤｉｓａｂｌｅＡｌｌＣａｒｒｉｅｒｓＢｕｔＳＬＰ」＝「１」の場合、この値はＳＬＰキャリアに適用され得る。値「０」はＳＬＰキャリアの最小ペイロードサイズを指し得る。１から１２までの数はペイロードインデックスに対応し得る。
【０１０２】
１ｘＲＴＴに従って動作するワイヤレスデバイスのための
サーマルベースのフロー制御
[00107]  本開示のいくつかの態様は、１ｘＲＴＴワイヤレス通信規格に従って動作するワイヤレス通信デバイスにおいて、サーマルベースの順方向および逆方向リンクフロー制御をサポートする。本開示の一態様では、サーマルモニタコマンドアービトレーションが「ダウン」または「シャットダウン」コマンドを生成した場合、たとえば、内部温度のうちの少なくとも１つがしきい値レベルを超えた場合、ワイヤレスデバイス（たとえば、アクセス端末）は逆方向共有チャネル（Ｒ−ＳＣＨ）の停止要求を実行し得る。
【０１０３】
[00108]  「熱的緩和」状態にある（たとえば「ダウン」状態にある）かまたは「シャットダウン」状態にある間、アクセス端末は、拡張補足チャネル割当てメッセージ（ＥＳＣＡＭ：extended supplemental channel assignment message）を廃棄し得、Ｒ−ＳＣＨを要求しないことがある。この場合、アクセス端末は補足チャネル要求メッセージ（ＳＣＲＭ：Supplemental Channel Request Message）を送信し得る。「熱的緩和」または「シャットダウン」状態からアクセス端末が「正常」（「オフ」）状態に戻ると、アクセス端末はＲ−ＳＣＨの処理を再開し得る。
【０１０４】
[00109]  図８は、本開示のいくつかの態様によるワイヤレスデバイスのタッチ温度を管理するための、ワイヤレスデバイスにおいて（たとえば、ワイヤレス受信機またはアクセス端末において）実行される例示的なブロック８００を概念的に示す機能ブロック図である。ブロック８００によって示される動作は、たとえば、図２からのアクセス端末２５０のプロセッサ２７０において、または図３からのワイヤレスデバイス３０２のプロセッサ３０４において実行され得る。
【０１０５】
[00110]  動作は、ブロック８０２において、ある時間期間にわたってアクセス端末の１つまたは複数のパートによって消費された、推定された１つまたは複数の電力を監視することによって開始する。ブロック８０４において、アクセス端末は、監視された、推定された１つまたは複数の電力に基づいてアクセス端末の少なくとも１つのサービス品質（ＱｏＳ）アスペクト（aspect）を調整する。いくつかの態様では、１つまたは複数のパートの１つまたは複数の温度がまた監視され得、アクセス端末は、１つまたは複数の監視された温度に基づいてアクセス端末の少なくとも１つのＱｏＳアスペクトを調整し得る。調整は、アクセス端末の推定された１つまたは複数の電力と、持続時間と、表面温度との間の既知の関数に基づいて実行され得る。一態様では、アクセス端末は１ｘＥＶ−ＤＯワイヤレス通信規格に従って動作し得る。別の態様では、アクセス端末は１ｘＲＴＴワイヤレス通信規格に従って動作し得る。さらに別の態様では、アクセス端末はＬＴＥワイヤレス通信規格に従って動作し得る。さらに別の態様では、アクセス端末はＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格に従って動作し得る。
【０１０６】
[00111]  本開示の一態様では、１つまたは複数の温度が１つまたは複数のしきい値を超えた場合、１つまたは複数の機能の実行がアクセス端末の１つまたは複数のパートから１つまたは複数の他のパートに転送され得る。本開示の別の態様では、アクセス端末の少なくとも１つのＱｏＳアスペクトを調整することは、バッテリーに関連する１つまたは複数の温度のうちの１つの温度がしきい値を超えた場合、アクセス端末のバッテリーの（たとえば、図３からのワイヤレスデバイス３０２のバッテリー３３０の）充電電流を低減するかまたはバッテリーの充電を無効化することを備え得る。さらに別の態様では、少なくとも１つのＱｏＳアスペクトを調整することは、ベースバンド回路の温度がしきい値レベルを超えた場合、装置の順方向および逆方向通信リンクに関連するデータレートを調整することと、電力増幅器の温度が別のしきい値レベルを超えた場合、装置の逆方向通信リンクに関連するデータレートを調整することとを備え得る。
【０１０７】
[00112]  本開示の一態様では、装置の１つまたは複数の内部回路に関連する１つまたは複数の内部温度が１つまたは複数のしきい値レベルを超えた場合、１つまたは複数の内部回路の１つまたは複数のクロック周波数、あるいは１つまたは複数の内部回路の１つまたは複数の電圧のうちの少なくとも１つが低下され得る。一方、１つまたは複数の内部温度が１つまたは複数の他のしきい値レベルを下回った場合、１つまたは複数の内部回路の１つまたは複数のクロック周波数が増加され得る。
【０１０８】
[00113]  一構成では、ワイヤレス通信のための装置２５０は、ある時間期間にわたって装置２５０の１つまたは複数のパートによって消費された、推定された１つまたは複数の電力を監視するための手段と、監視された、推定された１つまたは複数の電力に基づいて装置２５０の少なくとも１つのＱｏＳアスペクトを調整するための手段とを含む。いくつかの態様では、装置２５０はまた、１つまたは複数のパートの１つまたは複数の温度を監視するための手段と、１つまたは複数の監視された温度に基づいて装置２５０の少なくとも１つのＱｏＳアスペクトを調整するための手段とを備え得る。一態様では、上述の手段は、上述の手段によって詳述される機能を実行するように構成されたプロセッサ２７０であり得る。別の態様では、上述の手段は、上述の手段によって詳述される機能を実行するように構成されたモジュールまたは任意の装置であり得る。
【０１０９】
[00114]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１０】
[00115]  さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１１１】
[00116]  本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１２】
[00117]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１１３】
[00118]  １つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１１４】
[00119]  本明細書で使用する、項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【０１１５】
[00120]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、出願当初の特許請求の範囲に記載された発明を付記する。
［Ｃ１］
ある時間期間にわたって装置の１つまたは複数のパートによって消費された、推定された１つまたは複数の電力を監視することと、
前記監視された、推定された１つまたは複数の電力に基づいて前記装置の少なくとも１つのサービス品質（ＱｏＳ）アスペクトを調整することと
を備える、ワイヤレス通信のための方法。
［Ｃ２］
前記１つまたは複数のパートの１つまたは複数の温度を監視することと、
前記１つまたは複数のパートの前記１つまたは複数の温度に基づいて前記装置の前記少なくとも１つのＱｏＳアスペクトを調整することと
をさらに備える、Ｃ１に記載の方法。
［Ｃ３］
前記少なくとも１つのＱｏＳアスペクトを調整することが、
前記装置の送信電力またはデータレートのうちの少なくとも１つを低減することを備える、Ｃ１に記載の方法。
［Ｃ４］
前記調整することが、前記装置の前記推定された１つまたは複数の電力と、持続時間と、表面温度との間の既知の関数に基づいて実行される、Ｃ１に記載の方法。
［Ｃ５］
前記装置の表面温度を監視することと、
前記表面温度がしきい値レベルを超えた場合、前記表面温度を低減するための制御機構をトリガすることと
をさらに備える、Ｃ１に記載の方法。
［Ｃ６］
前記しきい値レベルが、前記装置に関連する周囲温度に基づいている、Ｃ５に記載の方法。
［Ｃ７］
前記装置の１つまたは複数の内部回路に関連する１つまたは複数の電流を測定することをさらに備え、
前記１つまたは複数のパートの前記１つまたは複数の温度が前記１つまたは複数の電流に基づき、
前記監視された、推定された１つまたは複数の電力に基づいて前記装置の前記少なくとも１つのＱｏＳアスペクトを調整することが、前記１つまたは複数の電流のいずれかがしきい値レベルを超えた場合、前記装置の送信電力またはデータレートのうちの少なくとも１つを低減するための制御機構をトリガすることを備える、
Ｃ２に記載の方法。
［Ｃ８］
前記制御機構が、
前記１つまたは複数の内部回路の電力消費を低下させることによって前記少なくとも１つのＱｏＳアスペクトを制限すること
を備える、Ｃ７に記載の方法。
［Ｃ９］
前記装置の１つまたは複数の内部回路に関連する１つまたは複数の内部温度が１つまたは複数のしきい値レベルを超えた場合、前記１つまたは複数の内部回路の１つまたは複数のクロック周波数、あるいは前記１つまたは複数の内部回路の１つまたは複数の電圧のうちの少なくとも１つを低下させること
をさらに備える、Ｃ１に記載の方法。
［Ｃ１０］
前記１つまたは複数の内部温度が１つまたは複数の他のしきい値レベルを下回った場合、前記１つまたは複数の内部回路の前記１つまたは複数のクロック周波数を増加させること
をさらに備える、Ｃ９に記載の方法。
［Ｃ１１］
前記データレートが、１ｘＥＶ−ＤＯ（１ｘＥｖｏｌｕｔｉｏｎ−Ｄａｔａ  Ｏｐｔｉｍｉｚｅｄ）、１ｘＲＴＴ（１ｘ無線伝送技術）、Ｌｏｎｇ  Ｔｅｒｍ  Ｅｖｏｌｕｔｉｏｎ（ＬＴＥ）、またはＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のうちの少なくとも１つのデータレートを備える、
Ｃ３に記載の方法。
［Ｃ１２］
前記推定された１つまたは複数の電力を監視することが、
前記装置に関連する電力増幅器の温度を監視することと、
前記装置のベースバンド回路の温度を監視することとを備え、
前記時間期間にわたって前記装置の前記１つまたは複数のパートによって消費された、前記推定された１つまたは複数の電力が、電力増幅器の前記温度とベースバンド回路の前記温度とに基づいている、
Ｃ１に記載の方法。
［Ｃ１３］
前記少なくとも１つのＱｏＳアスペクトを調整することが、
前記ベースバンド回路の前記温度がしきい値レベルを超えた場合、前記装置の順方向および逆方向通信リンクに関連するデータレートを調整すること
を備える、Ｃ１２に記載の方法。
［Ｃ１４］
前記少なくとも１つのＱｏＳアスペクトを調整することが、
前記電力増幅器の前記温度がしきい値レベルを超えた場合、前記装置の順方向および逆方向通信リンクに関連するデータレートを調整すること
を備える、Ｃ１２に記載の方法。
［Ｃ１５］
前記装置の表面温度と電力増幅器の前記温度との間の関係を決定することと、
前記関係に従って、電力増幅器の前記温度を監視するために使用される温度センサの状態に関係するしきい値を設定することと
をさらに備える、Ｃ１２に記載の方法。
［Ｃ１６］
前記装置の前記１つまたは複数のパートのうちの少なくとも１つの少なくとも１つの温度が第１のしきい値を下回った場合、前記データレートを前記調整の前の値に回復すること
をさらに備える、Ｃ３に記載の方法。
［Ｃ１７］
前記装置の送信電力またはデータレートのうちの前記少なくとも１つを低減することが、
前記装置の前記１つまたは複数のパートのうちの少なくとも１つの少なくとも１つの温度が、第１のしきい値を上回り、第２のしきい値を下回った場合、前記データレートを調整することと、
前記少なくとも１つの温度が前記第２のしきい値を上回った場合、前記少なくとも１つの温度に関連する少なくとも１つの内部回路をオフにすることと
を備える、Ｃ３に記載の方法。
［Ｃ１８］
前記少なくとも１つの温度が、前記第１のしきい値を上回り、前記第２のしきい値を下回った場合、前記装置において１つまたは複数の高度受信機技法を無効化することをさらに備える、Ｃ１７に記載の方法。
［Ｃ１９］
前記少なくとも１つの温度が、定義された時間期間の間、前記第１のしきい値を上回り、前記第２のしきい値を下回った場合、送信電力またはデータレートのうちの前記少なくとも１つのさらなる低減をアクティブ化すること
をさらに備える、Ｃ１８に記載の方法。
［Ｃ２０］
前記１つまたは複数の高度受信機技法が、前記装置の中央処理ユニット（ＣＰＵ）に適用される受信ダイバーシティ、干渉除去、または緩和技法のうちの少なくとも１つを備える、Ｃ１８に記載の方法。
［Ｃ２１］
前記少なくとも１つのＱｏＳアスペクトを調整することが、
経時的に測定された、前記装置に関連する電力増幅器の温度がしきい値レベルを超えた場合、前記装置の送信電力またはデータレートのうちの少なくとも１つを低下させる、前記装置のアップリンク上のデータスロットルをトリガすることを備え、
前記アップリンク上の前記データスロットルが、前記装置の表面温度を定義された限界未満に保つ、
Ｃ１に記載の方法。
［Ｃ２２］
前記１つまたは複数の温度のうちの少なくとも１つがしきい値レベルを超えた場合、逆共有チャネル（Ｒ−ＳＣＨ）についての要求を停止することと、
拡張補足チャネル割当てメッセージ（ＥＳＣＡＭ）を廃棄することと、
前記１つまたは複数の温度のうちの前記少なくとも１つが前記しきい値レベルよりも低くなった場合、前記Ｒ−ＳＣＨの処理を再開することと
をさらに備える、Ｃ２に記載の方法。
［Ｃ２３］
前記１つまたは複数の温度が１つまたは複数のしきい値を超えた場合、１つまたは複数の機能の実行を前記装置の前記１つまたは複数のパートから１つまたは複数の他のパートに転送すること
をさらに備える、Ｃ２に記載の方法。
［Ｃ２４］
前記１つまたは複数のパートの前記１つまたは複数の温度を監視することが、前記装置のバッテリーの温度を監視することを備え、
前記１つまたは複数のパートの前記１つまたは複数の温度に基づいて前記装置の前記少なくとも１つのＱｏＳアスペクトを調整することは、前記バッテリーの前記温度がしきい値を超えた場合、前記バッテリーの充電電流を低減すること、または前記バッテリーの充電を無効化することを備える、
Ｃ２に記載の方法。
［Ｃ２５］
ワイヤレス通信のための装置であって、
ある時間期間にわたって前記装置の１つまたは複数のパートによって消費された、推定された１つまたは複数の電力を監視するように構成された第１の回路と、
前記監視された、推定された１つまたは複数の電力に基づいて前記装置の少なくとも１つのサービス品質（ＱｏＳ）アスペクトを調整するように構成された第２の回路とを備える、装置。
［Ｃ２６］
前記１つまたは複数のパートの１つまたは複数の温度を監視するように構成された第３の回路と、
前記１つまたは複数のパートの前記１つまたは複数の温度に基づいて、前記装置の前記少なくとも１つのＱｏＳアスペクトを調整するように構成された第４の回路とをさらに備える、Ｃ２５に記載の装置。
［Ｃ２７］
前記第２の回路がまた、
前記装置の送信電力またはデータレートのうちの少なくとも１つを低減するように構成された、Ｃ２５に記載の装置。
［Ｃ２８］
前記調整することが、前記装置の前記推定された１つまたは複数の電力と、持続時間と、表面温度との間の既知の関数に基づいて実行される、Ｃ２５に記載の装置。
［Ｃ２９］
前記装置の表面温度を監視するように構成された第３の回路と、
前記表面温度がしきい値レベルを超えた場合、前記表面温度を低減するための制御機構をトリガするように構成された第４の回路と
をさらに備える、Ｃ２５に記載の装置。
［Ｃ３０］
前記しきい値レベルが、前記装置に関連する周囲温度に基づいている、Ｃ２９に記載の装置。
［Ｃ３１］
前記装置の１つまたは複数の内部回路に関連する１つまたは複数の電流を測定するように構成された第５の回路をさらに備え、
前記１つまたは複数のパートの前記１つまたは複数の温度が前記１つまたは複数の電流に基づき、
前記監視された、推定された１つまたは複数の電力に基づいて前記装置の前記少なくとも１つのＱｏＳアスペクトを調整することが、前記１つまたは複数の電流のいずれかがしきい値レベルを超えた場合、前記装置の送信電力またはデータレートのうちの少なくとも１つを低減するための制御機構をトリガすることを備える、
Ｃ２６に記載の装置。
［Ｃ３２］
前記制御機構が、
前記１つまたは複数の内部回路の電力消費を低下させることによって前記少なくとも１つのＱｏＳアスペクトを制限すること
を備える、Ｃ３１に記載の装置。
［Ｃ３３］
前記装置の１つまたは複数の内部回路に関連する１つまたは複数の内部温度が１つまたは複数のしきい値レベルを超えた場合、前記１つまたは複数の内部回路の１つまたは複数のクロック周波数、あるいは前記１つまたは複数の内部回路の１つまたは複数の電圧のうちの少なくとも１つを低下させるように構成された第３の回路
をさらに備える、Ｃ２５に記載の装置。
［Ｃ３４］
前記１つまたは複数の内部温度が１つまたは複数の他のしきい値レベルを下回った場合、前記１つまたは複数の内部回路の前記１つまたは複数のクロック周波数を増加させるように構成された第４の回路
をさらに備える、Ｃ３３に記載の装置。
［Ｃ３５］
前記データレートが、１ｘＥＶ−ＤＯ（１ｘＥｖｏｌｕｔｉｏｎ−Ｄａｔａ  Ｏｐｔｉｍｉｚｅｄ）、１ｘＲＴＴ（１ｘ無線伝送技術）、Ｌｏｎｇ  Ｔｅｒｍ  Ｅｖｏｌｕｔｉｏｎ（ＬＴＥ）、またはＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のうちの少なくとも１つのデータレートを備える、
Ｃ２７に記載の装置。
［Ｃ３６］
前記第１の回路がまた、
前記装置に関連する電力増幅器の温度を監視することと、
前記装置のベースバンド回路の温度を監視することとを行うように構成され、
前記時間期間にわたって前記装置の前記１つまたは複数のパートによって消費された、前記推定された１つまたは複数の電力が、電力増幅器の前記温度とベースバンド回路の前記温度とに基づいている、
Ｃ２５に記載の装置。
［Ｃ３７］
前記第２の回路がまた、
前記ベースバンド回路の前記温度がしきい値レベルを超えた場合、前記装置の順方向および逆方向通信リンクに関連するデータレートを調整する
ように構成された、Ｃ３６に記載の装置。
［Ｃ３８］
前記第２の回路がまた、
前記電力増幅器の前記温度がしきい値レベルを超えた場合、前記装置の順方向および逆方向通信リンクに関連するデータレートを調整する
ように構成された、Ｃ３６に記載の装置。
［Ｃ３９］
前記装置の表面温度と電力増幅器の前記温度との間の関係を決定するように構成された第３の回路と、
前記関係に従って、電力増幅器の前記温度を監視するために使用される温度センサの状態に関係するしきい値を設定するように構成された第４の回路と
をさらに備える、Ｃ３６に記載の装置。
［Ｃ４０］
前記装置の前記１つまたは複数のパートのうちの少なくとも１つの少なくとも１つの温度が第１のしきい値を下回った場合、前記データレートを前記調整の前の値に回復するように構成された第３の回路
をさらに備える、Ｃ２７に記載の装置。
［Ｃ４１］
前記装置の前記１つまたは複数のパートのうちの少なくとも１つの少なくとも１つの温度が、第１のしきい値を上回り、第２のしきい値を下回った場合、前記データレートを調整するように構成された第３の回路と、
前記少なくとも１つの温度が前記第２のしきい値を上回った場合、前記少なくとも１つの温度に関連する少なくとも１つの内部回路をオフにするように構成された第４の回路とをさらに備える、Ｃ２７に記載の装置。
［Ｃ４２］
前記少なくとも１つの温度が、前記第１のしきい値を上回り、前記第２のしきい値を下回った場合、前記装置において１つまたは複数の高度受信機技法を無効化するように構成された第５の回路
をさらに備える、Ｃ４１に記載の装置。
［Ｃ４３］
前記少なくとも１つの温度が、定義された時間期間の間、前記第１のしきい値を上回り、前記第２のしきい値を下回った場合、送信電力またはデータレートのうちの前記少なくとも１つのさらなる低減をアクティブ化するように構成された第６の回路
をさらに備える、Ｃ４２に記載の装置。
［Ｃ４４］
前記１つまたは複数の高度受信機技法が、前記装置の中央処理ユニット（ＣＰＵ）に適用される受信ダイバーシティ、干渉除去、または緩和技法のうちの少なくとも１つを備える、Ｃ４２に記載の装置。
［Ｃ４５］
前記第２の回路がまた、
経時的に測定された、前記装置に関連する電力増幅器の温度がしきい値レベルを超えた場合、前記装置の送信電力またはデータレートのうちの少なくとも１つを低下させる、前記装置のアップリンク上のデータスロットルをトリガするように構成され、
前記アップリンク上の前記データスロットルが、前記装置の表面温度を定義された限界未満に保つ、
Ｃ２５に記載の装置。
［Ｃ４６］
前記１つまたは複数の温度のうちの少なくとも１つがしきい値レベルを超えた場合、逆共有チャネル（Ｒ−ＳＣＨ）についての要求を停止するように構成された第５の回路と、
拡張補足チャネル割当てメッセージ（ＥＳＣＡＭ）を廃棄するように構成された第６の回路と、
前記１つまたは複数の温度のうちの前記少なくとも１つが前記しきい値レベルよりも低くなった場合、前記Ｒ−ＳＣＨの処理を再開するように構成された第７の回路とをさらに備える、Ｃ２６に記載の装置。
［Ｃ４７］
前記１つまたは複数の温度が１つまたは複数のしきい値を超えた場合、１つまたは複数の機能の実行を前記装置の前記１つまたは複数のパートから１つまたは複数の他のパートに転送するように構成された第５の回路
をさらに備える、Ｃ２６に記載の装置。
［Ｃ４８］
前記１つまたは複数のパートの前記１つまたは複数の温度を監視することが、前記装置のバッテリーの温度を監視することを備え、
前記１つまたは複数のパートの前記１つまたは複数の温度に基づいて前記装置の前記少なくとも１つのＱｏＳアスペクトを調整することは、前記バッテリーの前記温度がしきい値を超えた場合、前記バッテリーの充電電流を低減すること、または前記バッテリーの充電を無効化することを備える、
Ｃ２６に記載の装置。
［Ｃ４９］
ワイヤレス通信のための装置であって、
ある時間期間にわたって前記装置の１つまたは複数のパートによって消費された、推定された１つまたは複数の電力を監視するための手段と、
前記監視された、推定された１つまたは複数の電力に基づいて前記装置の少なくとも１つのサービス品質（ＱｏＳ）アスペクトを調整するための手段と
を備える、装置。
［Ｃ５０］
前記１つまたは複数のパートの１つまたは複数の温度を監視するための手段と、
前記１つまたは複数のパートの前記１つまたは複数の温度に基づいて前記装置の前記少なくとも１つのＱｏＳアスペクトを調整するための手段と
をさらに備える、Ｃ４９に記載の装置。
［Ｃ５１］
前記少なくとも１つのＱｏＳアスペクトを調整するための前記手段が、
前記装置の送信電力またはデータレートのうちの少なくとも１つを低減するための手段を備える、Ｃ４９に記載の装置。
［Ｃ５２］
前記調整することが、前記装置の前記推定された１つまたは複数の電力と、持続時間と、表面温度との間の既知の関数に基づいて実行される、Ｃ４９に記載の装置。
［Ｃ５３］
前記装置の表面温度を監視するための手段と、
前記表面温度がしきい値レベルを超えた場合、前記表面温度を低減するための制御機構をトリガするための手段と
をさらに備える、Ｃ４９に記載の装置。
［Ｃ５４］
前記しきい値レベルが、前記装置に関連する周囲温度に基づいている、Ｃ５３に記載の装置。
［Ｃ５５］
前記装置の１つまたは複数の内部回路に関連する１つまたは複数の電流を測定するための手段をさらに備え、
前記１つまたは複数のパートの前記１つまたは複数の温度が前記１つまたは複数の電流に基づき、
前記監視された、推定された１つまたは複数の電力に基づいて前記装置の前記少なくとも１つのＱｏＳアスペクトを調整することが、前記１つまたは複数の電流のいずれかがしきい値レベルを超えた場合、前記装置の送信電力またはデータレートのうちの少なくとも１つを低減するための制御機構をトリガすることを備える、
Ｃ５０に記載の装置。
［Ｃ５６］
前記制御機構が、
前記１つまたは複数の内部回路の電力消費を低下させることによって前記少なくとも１つのＱｏＳアスペクトを制限すること
を備える、Ｃ５５に記載の装置。
［Ｃ５７］
前記装置の１つまたは複数の内部回路に関連する１つまたは複数の内部温度が１つまたは複数のしきい値レベルを超えた場合、前記１つまたは複数の内部回路の１つまたは複数のクロック周波数、あるいは前記１つまたは複数の内部回路の１つまたは複数の電圧のうちの少なくとも１つを低下させるための手段
をさらに備える、Ｃ４９に記載の装置。
［Ｃ５８］
前記１つまたは複数の内部温度が１つまたは複数の他のしきい値レベルを下回った場合、前記１つまたは複数の内部回路の前記１つまたは複数のクロック周波数を増加させるための手段
をさらに備える、Ｃ５７に記載の装置。
［Ｃ５９］
前記データレートが、１ｘＥＶ−ＤＯ（１ｘＥｖｏｌｕｔｉｏｎ−Ｄａｔａ  Ｏｐｔｉｍｉｚｅｄ）、１ｘＲＴＴ（１ｘ無線伝送技術）、Ｌｏｎｇ  Ｔｅｒｍ  Ｅｖｏｌｕｔｉｏｎ（ＬＴＥ）、またはＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のうちの少なくとも１つのデータレートを備える、
Ｃ５１に記載の装置。
［Ｃ６０］
前記推定された１つまたは複数の電力を監視するための前記手段が、
前記装置に関連する電力増幅器の温度を監視するための手段と、
前記装置のベースバンド回路の温度を監視するための手段とを備え、
前記時間期間にわたって前記装置の前記１つまたは複数のパートによって消費された、前記推定された１つまたは複数の電力が、電力増幅器の前記温度とベースバンド回路の前記温度とに基づいている、
Ｃ４９に記載の装置。
［Ｃ６１］
前記少なくとも１つのＱｏＳアスペクトを調整するための前記手段が、
前記ベースバンド回路の前記温度がしきい値レベルを超えた場合、前記装置の順方向および逆方向通信リンクに関連するデータレートを調整するための手段を備える、Ｃ６０に記載の装置。
［Ｃ６２］
前記少なくとも１つのＱｏＳアスペクトを調整するための前記手段が、
前記電力増幅器の前記温度がしきい値レベルを超えた場合、前記装置の順方向および逆方向通信リンクに関連するデータレートを調整するための手段、
を備えるＣ６０に記載の装置。
［Ｃ６３］
前記装置の表面温度と電力増幅器の前記温度との間の関係を決定するための手段と、
前記関係に従って、電力増幅器の前記温度を監視するために使用される温度センサの状態に関係するしきい値を設定するための手段と
をさらに備える、Ｃ６０に記載の装置。
［Ｃ６４］
前記装置の前記１つまたは複数のパートのうちの少なくとも１つの少なくとも１つの温度が第１のしきい値を下回った場合、前記データレートを前記調整の前の値に回復するための手段
をさらに備える、Ｃ５１に記載の装置。
［Ｃ６５］
前記装置の送信電力またはデータレートのうちの前記少なくとも１つを低減するための前記手段が、
前記装置の前記１つまたは複数のパートのうちの少なくとも１つの少なくとも１つの温度が、第１のしきい値を上回り、第２のしきい値を下回った場合、前記データレートを調整するための手段と、
前記少なくとも１つの温度が前記第２のしきい値を上回った場合、前記少なくとも１つの温度に関連する少なくとも１つの内部回路をオフにするための手段と
を備える、Ｃ５１に記載の装置。
［Ｃ６６］
前記少なくとも１つの温度が、前記第１のしきい値を上回り、前記第２のしきい値を下回った場合、前記装置において１つまたは複数の高度受信機技法を無効化するための手段をさらに備える、Ｃ６５に記載の装置。
［Ｃ６７］
前記少なくとも１つの温度が、定義された時間期間の間、前記第１のしきい値を上回り、前記第２のしきい値を下回った場合、送信電力またはデータレートのうちの前記少なくとも１つのさらなる低減をアクティブ化するための手段
をさらに備える、Ｃ６６に記載の装置。
［Ｃ６８］
前記１つまたは複数の高度受信機技法が、前記装置の中央処理ユニット（ＣＰＵ）に適用される受信ダイバーシティ、干渉除去、または緩和技法のうちの少なくとも１つを備える、Ｃ６６に記載の装置。
［Ｃ６９］
前記少なくとも１つのＱｏＳアスペクトを調整するための前記手段が、
経時的に測定された、前記装置に関連する電力増幅器の温度がしきい値レベルを超えた場合、前記装置の送信電力またはデータレートのうちの少なくとも１つを低下させる、前記装置のアップリンク上のデータスロットルをトリガするための手段を備え、
前記アップリンク上の前記データスロットルが、前記装置の表面温度を定義された限界未満に保つ、
Ｃ４９に記載の装置。
［Ｃ７０］
前記１つまたは複数の温度のうちの少なくとも１つがしきい値レベルを超えた場合、逆共有チャネル（Ｒ−ＳＣＨ）についての要求を停止するための手段と、
拡張補足チャネル割当てメッセージ（ＥＳＣＡＭ）を廃棄するための手段と、
前記１つまたは複数の温度のうちの前記少なくとも１つが前記しきい値レベルよりも低くなった場合、前記Ｒ−ＳＣＨの処理を再開するための手段と
をさらに備える、Ｃ５０に記載の装置。
［Ｃ７１］
前記１つまたは複数の温度が１つまたは複数のしきい値を超えた場合、１つまたは複数の機能の実行を前記装置の前記１つまたは複数のパートから１つまたは複数の他のパートに転送するための手段
をさらに備える、Ｃ５０に記載の装置。
［Ｃ７２］
前記１つまたは複数のパートの前記１つまたは複数の温度を監視することが、前記装置のバッテリーの温度を監視することを備え、
前記１つまたは複数のパートの前記１つまたは複数の温度に基づいて前記装置の前記少なくとも１つのＱｏＳアスペクトを調整することは、前記バッテリーの前記温度がしきい値を超えた場合、前記バッテリーの充電電流を低減すること、または前記バッテリーの充電を無効化することを備える、
Ｃ５０に記載の装置。
［Ｃ７３］
ある時間期間にわたって装置の１つまたは複数のパートによって消費された、推定された１つまたは複数の電力を監視することと、
前記監視された、推定された１つまたは複数の電力に基づいて前記装置の少なくとも１つのサービス品質（ＱｏＳ）アスペクトを調整することと
を行うためのコードを備えるコンピュータ可読媒体を備える、ワイヤレス通信のためのコンピュータプログラム製品。
［Ｃ７４］
前記コンピュータ可読媒体が、
前記１つまたは複数のパートの１つまたは複数の温度を監視することと、
前記１つまたは複数のパートの前記１つまたは複数の温度に基づいて前記装置の前記少なくとも１つのＱｏＳアスペクトを調整することと
を行うためのコードをさらに備える、Ｃ７３に記載のコンピュータプログラム製品。
［Ｃ７５］
前記コンピュータ可読媒体が、
前記装置の送信電力またはデータレートのうちの少なくとも１つを低減するためのコードをさらに備える、Ｃ７３に記載のコンピュータプログラム製品。
［Ｃ７６］
前記調整することが、前記装置の前記推定された１つまたは複数の電力と、持続時間と、表面温度との間の既知の関数に基づいて実行される、Ｃ７３に記載のコンピュータプログラム製品。
［Ｃ７７］
前記コンピュータ可読媒体が、
前記装置の表面温度を監視することと、
前記表面温度がしきい値レベルを超えた場合、前記表面温度を低減するための制御機構をトリガすることと
を行うためのコードをさらに備える、Ｃ７３に記載のコンピュータプログラム製品。
［Ｃ７８］
前記しきい値レベルが、前記装置に関連する周囲温度に基づいている、Ｃ７７に記載のコンピュータプログラム製品。
［Ｃ７９］
前記コンピュータ可読媒体が、
前記装置の１つまたは複数の内部回路に関連する１つまたは複数の電流を測定するためのコードをさらに備え、
前記１つまたは複数のパートの前記１つまたは複数の温度が前記１つまたは複数の電流に基づき、
前記監視された、推定された１つまたは複数の電力に基づいて前記装置の前記少なくとも１つのＱｏＳアスペクトを調整することが、前記１つまたは複数の電流のいずれかがしきい値レベルを超えた場合、前記装置の送信電力またはデータレートのうちの少なくとも１つを低減するための制御機構をトリガすることを備える、
Ｃ７４に記載のコンピュータプログラム製品。
［Ｃ８０］
前記制御機構が、
前記１つまたは複数の内部回路の電力消費を低下させることによって前記少なくとも１つのＱｏＳアスペクトを制限すること
を備える、Ｃ７９に記載のコンピュータプログラム製品。
［Ｃ８１］
前記コンピュータ可読媒体が、
前記装置の１つまたは複数の内部回路に関連する１つまたは複数の内部温度が１つまたは複数のしきい値レベルを超えた場合、前記１つまたは複数の内部回路の１つまたは複数のクロック周波数、あるいは前記１つまたは複数の内部回路の１つまたは複数の電圧のうちの少なくとも１つを低下させる
ためのコードをさらに備える、Ｃ７３に記載のコンピュータプログラム製品。
［Ｃ８２］
前記コンピュータ可読媒体が、
前記１つまたは複数の内部温度が１つまたは複数の他のしきい値レベルを下回った場合、前記１つまたは複数の内部回路の前記１つまたは複数のクロック周波数を増加させるためのコードをさらに備える、Ｃ８１に記載のコンピュータプログラム製品。
［Ｃ８３］
前記データレートが、１ｘＥＶ−ＤＯ（１ｘＥｖｏｌｕｔｉｏｎ−Ｄａｔａ  Ｏｐｔｉｍｉｚｅｄ）、１ｘＲＴＴ（１ｘ無線伝送技術）、Ｌｏｎｇ  Ｔｅｒｍ  Ｅｖｏｌｕｔｉｏｎ（ＬＴＥ）、またはＥｖｏｌｖｅｄ  Ｈｉｇｈ−Ｓｐｅｅｄ  Ｐａｃｋｅｔ  Ａｃｃｅｓｓ（ＨＳＰＡ＋）ワイヤレス通信規格のうちの少なくとも１つのデータレートを備える、
Ｃ７５に記載のコンピュータプログラム製品。
［Ｃ８４］
前記コンピュータ可読媒体が、
前記装置に関連する電力増幅器の温度を監視することと、
前記装置のベースバンド回路の温度を監視することとを行うためのコードをさらに備え、
前記時間期間にわたって前記装置の前記１つまたは複数のパートによって消費された、前記推定された１つまたは複数の電力が、電力増幅器の前記温度とベースバンド回路の前記温度とに基づいている、
Ｃ７３に記載のコンピュータプログラム製品。
［Ｃ８５］
前記コンピュータ可読媒体が、
前記ベースバンド回路の前記温度がしきい値レベルを超えた場合、前記装置の順方向および逆方向通信リンクに関連するデータレートを調整する
ためのコードをさらに備える、Ｃ８４に記載のコンピュータプログラム製品。
［Ｃ８６］
前記コンピュータ可読媒体が、
前記電力増幅器の前記温度がしきい値レベルを超えた場合、前記装置の順方向および逆方向通信リンクに関連するデータレートを調整する
ためのコードをさらに備える、Ｃ８４に記載のコンピュータプログラム製品。
［Ｃ８７］
前記コンピュータ可読媒体が、
前記装置の表面温度と電力増幅器の前記温度との間の関係を決定することと、
前記関係に従って、電力増幅器の前記温度を監視するために使用される温度センサの状態に関係するしきい値を設定することと
を行うためのコードをさらに備える、Ｃ８４に記載のコンピュータプログラム製品。
［Ｃ８８］
前記コンピュータ可読媒体が、
前記装置の前記１つまたは複数のパートのうちの少なくとも１つの少なくとも１つの温度が第１のしきい値を下回った場合、前記データレートを前記調整の前の値に回復するためのコードをさらに備える、Ｃ７５に記載のコンピュータプログラム製品。
［Ｃ８９］
前記コンピュータ可読媒体が、
前記装置の前記１つまたは複数のパートのうちの少なくとも１つの少なくとも１つの温度が、第１のしきい値を上回り、第２のしきい値を下回った場合、前記データレートを調整することと、
前記少なくとも１つの温度が前記第２のしきい値を上回った場合、前記少なくとも１つの温度に関連する少なくとも１つの内部回路をオフにすることと
を行うためのコードをさらに備える、Ｃ７５に記載のコンピュータプログラム製品。
［Ｃ９０］
前記コンピュータ可読媒体が、
前記少なくとも１つの温度が、前記第１のしきい値を上回り、前記第２のしきい値を下回った場合、前記装置において１つまたは複数の高度受信機技法を無効化するためのコードをさらに備える、Ｃ８９に記載のコンピュータプログラム製品。
［Ｃ９１］
前記コンピュータ可読媒体が、
前記少なくとも１つの温度が、定義された時間期間の間、前記第１のしきい値を上回り、前記第２のしきい値を下回った場合、送信電力またはデータレートのうちの前記少なくとも１つのさらなる低減をアクティブ化する
ためのコードをさらに備える、Ｃ９０に記載のコンピュータプログラム製品。
［Ｃ９２］
前記１つまたは複数の高度受信機技法が、前記装置の中央処理ユニット（ＣＰＵ）に適用される受信ダイバーシティ、干渉除去、または緩和技法のうちの少なくとも１つを備える、Ｃ９０に記載のコンピュータプログラム製品。
［Ｃ９３］
前記コンピュータ可読媒体が、
経時的に測定された、前記装置に関連する電力増幅器の温度がしきい値レベルを超えた場合、前記装置の送信電力またはデータレートのうちの少なくとも１つを低下させる、前記装置のアップリンク上のデータスロットルをトリガするためのコードをさらに備え、
前記アップリンク上の前記データスロットルが、前記装置の表面温度を定義された限界未満に保つ、
Ｃ７３に記載のコンピュータプログラム製品。
［Ｃ９４］
前記コンピュータ可読媒体が、
前記１つまたは複数の温度のうちの少なくとも１つがしきい値レベルを超えた場合、逆共有チャネル（Ｒ−ＳＣＨ）についての要求を停止することと、
拡張補足チャネル割当てメッセージ（ＥＳＣＡＭ）を廃棄することと、
前記１つまたは複数の温度のうちの前記少なくとも１つが前記しきい値レベルよりも低くなった場合、前記Ｒ−ＳＣＨの処理を再開することと
を行うためのコードをさらに備える、Ｃ７４に記載のコンピュータプログラム製品。
［Ｃ９５］
前記コンピュータ可読媒体が、
前記１つまたは複数の温度が１つまたは複数のしきい値を超えた場合、１つまたは複数の機能の実行を前記装置の前記１つまたは複数のパートから１つまたは複数の他のパートに転送する
ためのコードをさらに備える、Ｃ７４に記載のコンピュータプログラム製品。
［Ｃ９６］
前記１つまたは複数のパートの前記１つまたは複数の温度を監視することが、前記装置のバッテリーの温度を監視することを備え、
前記１つまたは複数のパートの前記１つまたは複数の温度に基づいて前記装置の前記少なくとも１つのＱｏＳアスペクトを調整することは、前記バッテリーの前記温度がしきい値を超えた場合、前記バッテリーの充電電流を低減すること、または前記バッテリーの充電を無効化することを備える、
Ｃ７４に記載のコンピュータプログラム製品。
【図１】
0005905471.tif 000006
【図２】
0005905471.tif 000007
【図３】
0005905471.tif 000008
【図４】
0005905471.tif 000009
【図５】
0005905471.tif 000010
【図６】
0005905471.tif 000011
【図７】
0005905471.tif 000012
【図８】
0005905471.tif 000013